(57)【要約】０．１０より小さいファクタだけ前方に歪められた吸収体コアを有する三次元の使い捨てアンダーパンツが開示される。吸収体コアは、背部区域における吸収体コアの長さを前部区域と中央区域における吸収体コアの長さで割ったものが０．１０より小さくなり、前部区域における吸収体コアの長さが背部区域における吸収体コアの長さより大きくなるように使い捨てアンダーパンツの前部区域、中央区域、及び背部区域に配置される。１つの態様においては、使い捨てアンダーパンツは、弾性を付与された脚及びウエスト開口部を含み、その結果としてアンダーパンツは、使用者の腰及び腹の周りで伸縮可能となる。
2004528879.tif 000002
【特許請求の範囲】
【請求項１】
縦方向及び横方向軸線、前記縦方向軸線上に相対して配置された前部区域及び背部区域、並びに前記前部区域と前記背部区域との間に配置された中央区域を有し、前記区域の各々がアンダーパンツの長さの３分の１の縦方向軸線に沿う長さを有する、最初に広げられた形状を定める使い捨てアンダーパンツであって、
ａ）股部分によって接続された前身頃部分と後身頃部分とを有し、前記前身頃部分及び後身頃部分が互いに接続されてウエスト開口部と２つの脚開口部を形成する外側カバーと、
ｂ）液体不透過性層と、透過性層と、前記液体不透過性層と透過性層との間に配置され前端縁と後端縁とを有する矩形の吸収体コアと、に関連する吸収性障壁複合材と、
によって特徴付けられ、前記吸収体コアは、前記背部区域における前記吸収体コアの前記長さを前記前部区域と前記中央区域における前記吸収体コアの長さで割ったものが０．１０より小さくなり、前記前部区域における前記吸収体コアの前記長さが前記背部区域における吸収体コアの前記長さより大きくなるように前記区域内に配置されることを特徴とする使い捨てアンダーパンツ。
【請求項２】
前記背部区域における前記吸収体コアの前記長さを、前記前部区域と前記中央区域における前記吸収体コアの長さで割ったものは、０．０９５より小さいことを特徴とする請求項１に記載の使い捨てアンダーパンツ。
【請求項３】
前記背部区域における前記吸収体コアの前記長さを、前記前部区域と前記中央区域における前記吸収体コアの長さで割ったものは、０．０８５より小さいことを特徴とする請求項２に記載の使い捨てアンダーパンツ。
【請求項４】
前記背部区域における前記吸収体コアの前記長さを、前記前部区域と前記中央区域における前記吸収体コアの長さで割ったものは、０．０７より小さいことを特徴とする請求項３に記載の使い捨てアンダーパンツ。
【請求項５】
前記外側カバーはさらに、前記脚開口部の各々の周りに配置されて前記脚開口部の各々の周りにギャザーを形成する脚弾性体と、前記前身頃部分及び後身頃部分の周りに配置されて前記前身頃部分及び後身頃部分のギャザーを形成するウエスト部弾性体とを備えることを特徴とする請求項１に記載の使い捨てアンダーパンツ。
【請求項６】
前記外側カバーはさらに、前記脚開口部の各々の周りに配置されて前記脚開口部の各々の周りにギャザーを形成する脚弾性体と、前記前身頃部分及び後身頃部分の周りに配置されて前記前身頃部分及び後身頃部分のギャザーを形成するウエスト部弾性体とを備えることを特徴とする請求項２に記載の使い捨てアンダーパンツ。
【請求項７】
前記外側カバーはさらに、前記ウエスト開口部の周りに配置されて前記ウエスト開口部の周りにギャザーを形成するウエスト弾性体を備えることを特徴とする請求項１に記載の使い捨てアンダーパンツ。
【請求項８】
前記外側カバーはさらに、前記ウエスト開口部の各々の周りに配置されて前記ウエスト開口部の各々の周りにギャザーを形成するウエスト弾性体を備えることを特徴とする請求項７に記載の使い捨てアンダーパンツ。
【請求項９】
縦方向及び横方向軸線、前記縦方向軸線上に相対して配置された前部区域及び背部区域、並びに前記前部区域と前記背部区域との間に配置された中央区域を有し、前記区域の各々がアンダーパンツの長さの３分の１の縦方向軸線に沿う長さを有する、最初に広げられた形状を定める使い捨てアンダーパンツであって、
ａ）股部分によって接続された前身頃部分と後身頃部分とを有し、前記前身頃部分及び後身頃部分が互いに接続されてウエスト開口と２つの脚開口を形成する外側カバーと、
ｂ）液体不透過性層と、透過性層と、前記液体不透過性層と透過性層との間に配置され前端縁と後端縁とを有する矩形の吸収体コアと、に関連する吸収性障壁複合材と、
ｃ）前記外側カバーはさらに、前記脚開口部の各々の周りに配置されて前記脚開口部の各々の周りにギャザーを形成する脚弾性体と、前記前身頃部及び後身頃部の周りに配置されて前記前身頃部及び後身頃部のギャザーを形成するウエスト部弾性体とによって特徴付けられ、
前記吸収体コアは、前記背部区域における前記吸収体コアの前記長さを前記前部区域と前記中央区域における前記吸収体コアの長さで割ったものが０．１０より小さくなり、前記前部区域における前記吸収体コアの前記長さが前記背部区域における吸収体コアの前記長さより大きくなるように前記区域内に配置されることを特徴とする使い捨てアンダーパンツ。
【請求項１０】
前記背部区域における前記吸収体コアの前記長さを、前記前部区域と前記中央区域における前記吸収体コアの長さで割ったものは、０．０９５より小さいことを特徴とする請求項９に記載の使い捨てアンダーパンツ。
【請求項１１】
前記背部区域における前記吸収体コアの前記長さを、前記前部区域と前記中央区域における前記吸収体コアの長さで割ったものは、０．０８５より小さいことを特徴とする請求項１０に記載の使い捨てアンダーパンツ。
【請求項１２】
前記背部区域における前記吸収体コアの前記長さを、前記前部区域と前記中央区域における前記吸収体コアの長さで割ったものは、０．０７より小さいことを特徴とする請求項１１に記載の使い捨てアンダーパンツ。
【請求項１３】
前記外側カバーはさらに、前記ウエスト開口部の周りに配置されて前記ウエスト開口部の周りにギャザーを形成するウエスト弾性体を備えることを特徴とする請求項９に記載の使い捨てアンダーパンツ。
【請求項１４】
前記外側カバーはさらに、前記ウエスト開口部の周りに配置されて前記ウエスト開口部の周りにギャザーを形成するウエスト弾性体を備えることを特徴とする請求項１０に記載の使い捨てアンダーパンツ。
【請求項１５】
縦方向及び横方向軸線、前記縦方向軸線上に相対して配置された前部区域及び背部区域、並びに前記前部区域と前記背部区域との間に配置された中央区域を有し、前記区域の各々がアンダーパンツの長さの３分の１の縦方向軸線に沿う長さを有する、最初に広げられた形状を定める使い捨てアンダーパンツであって、
ａ）股部分によって接続された前身頃部分と後身頃部分とを有し、前記前身頃部分及び後身頃部分が互いに接続されてウエスト開口部と２つの脚開口部を形成する外側カバーを設け、
ｂ）液体不透過性層と、透過性層と、前記液体不透過性層と透過性層との間に配置され前端縁と後端縁とを有する矩形の吸収体コアと、に関連する吸収性障壁複合材を設けること、
によって特徴付けられ、前記吸収体コアは、前記背部区域における前記吸収体コアの前記長さを前記前部区域と前記中央区域における前記吸収体コアの長さで割ったものが０．１０より小さくなり、前記前部区域における前記吸収体コアの前記長さが前記背部区域における吸収体コアの前記長さより大きくなるように前記区域内に配置されることを特徴とする使い捨てアンダーパンツ。
【請求項１６】
前記背部区域における前記吸収体コアの前記長さを、前記前部区域と前記中央区域における前記吸収体コアの長さで割ったものは、０．０９５より小さいことを特徴とする請求項１５に記載の使い捨てアンダーパンツを形成する方法。
【請求項１７】
前記背部区域における前記吸収体コアの前記長さを、前記前部区域と前記中央区域における前記吸収体コアの長さで割ったものは、０．０８５より小さいことを特徴とする請求項１６に記載の使い捨てアンダーパンツを形成する方法。
【請求項１８】
前記背部区域における前記吸収体コアの前記長さを、前記前部区域と前記中央区域における前記吸収体コアの長さで割ったものは、０．０７より小さいことを特徴とする請求項１７に記載の使い捨てアンダーパンツを形成する方法。
【請求項１９】
ウエスト弾性体を前記ウエスト開口部の周りに配置して前記ウエスト開口部の周りにギャザーを形成することをさらに含む請求項１５に記載の使い捨てアンダーパンツを形成する方法。
【請求項２０】
ウエスト弾性体を前記ウエスト開口部の周りに配置して前記ウエスト開口部の周りにギャザーを形成することを含む請求項８に記載の使い捨てアンダーパンツを形成する方法。
【発明の詳細な説明】
【０００１】
（技術分野）
本発明は、使い捨てアンダーパンツに関する。１つの態様においては、本発明は、歪吸収体コアを有する使い捨てアンダーパンツに関する。１つの態様においては、本発明は、液体不透過性部分と、身体排出物及び排泄物を収容し及び吸収するために前方にシフトされた吸収体コアとを有する使い捨て失禁用アンダーパンツに関する。
【０００２】
（背景技術）
人体の排出物を吸収するためのアンダーパンツ吸収性衣類は、使い捨てでないアンダーパンツ、失禁用物品又は吸収性物品と組み合わされた使い捨てでないアンダーパンツ、及び使い捨てアンダーパンツ又は使い捨て吸収性下着を含む。
使い捨て吸収性下着は、水性液体透過性上面シート層と、人体の排出物を受け入れ、及び吸収するための１つ又はそれ以上の層を含む吸収体コアと、排出物を収容するための水性液体不透過性の液体障壁とを含む構造を有する。
【０００３】
使い捨てアンダーパンツは、液体透過性の身体側の内側ライナと、表面シート層と、液体不透過性の外側カバーと、液体障壁と、内側ライナと外側カバーとの間に挟み込まれた吸収体バットとを含む三層の複合構造体である。通常の吸収性バットは、前ウエストバンドと背ウエストバンドとの間に対称に配置される。使い捨てアンダーパンツの３つの主要な要素の材料は、身体側の内側ライナ及び表面シート層用の不織布と、外側カバー及び液体障壁用の薄い熱可塑性フィルムと、吸収性バット用のセルロース性フラフとを含む。
使い捨てアンダーパンツは、成人の失禁のケア及び幼児のケアを与える。
【０００４】
幾つかの吸収性衣類は、それらの意図されている目的を満足に果たすが、好ましい吸収特性、好ましい吸収性材料の使用、及び着用者に与える不快感が最小の好ましい排出物閉じ込め特性を有するもっと個別のアンダーパンツを与える必要性が存在する。アンダーパンツは、吸収体層の遠位端を含む吸収体層の表面積全体への水性液体の移動を容易にするように働くものではない。排出物の吸収は、吸収体層における小さな領域に集中し、それにより、下着の吸収能力の多くが十分に利用されない。
小さな子供と成人の身体の間の差と、小さな子供と成人との活動性及び移動性の差により、使い捨てトレーニングパンツの寸法を成人サイズに増加させても、成人ユーザの多くの必要性に見合わない。
【０００５】
吸収性下着は、「Ｊ」字形の構成で着用される。「Ｊ」字形の構成においては、下着の前部領域は、下着の背部領域より着用者の身体において下側に着用される。
吸収性アンダーパンツは、着用者の身体において、下着の中央が放出点と一致しない状態で着用される。放出点は、下着の前部領域に向けて生じる。したがって、現在入手可能なアンダーパンツは、放出点において適切な吸収性材料を与えるものではない。
中央に配置された捕集区域を含む吸収性パッドを有する吸収性アンダーパンツは、好ましい吸収性をもたらすものではなく、その結果として製品の不具合がもたらされる。
人体排出物を吸収し及び収容するための幾つかのアンダーパンツは、嵩高く、あまり効果的なものではない。吸収体コアは、特に中央部分と背部領域において、嵩高い構成では十分に利用されない吸収能力の位置をもって配置される。こうした下着は、特に着用者が活発な成人である場合に、着用するのに快適なものではない。こうした下着は、高価であり、使用されないむしろ無駄な背部領域に吸収性材料が配置されるので効果的なものではない。
したがって、好ましい吸収特性と好ましい閉じ込め特性をもつ一方で依然として着用するのに快適である吸収性アンダーパンツに対する必要性が存在している。本発明のさらなる目的は、以下の詳細な説明から明らかとなるであろう。
【０００６】
（発明の開示）
本発明の物品及び方法は、縦方向及び横方向軸線、縦方向軸線上に相対して配置される前部区域及び背部区域、並びに前部区域と背部区域との間に配置された中央区域を有する最初に広げられた形状を定める使い捨てアンダーパンツを提供するものであり、区域の各々は、アンダーパンツの長さの３分の１の長さ方向軸線に沿う長さを有する。前身頃部分と後身頃部分とを有する外側カバーは、股部分によって接続され、前身頃部分及び後身頃部分は、互いに接続されてウエスト開口部と２つの脚開口部を形成し、吸収性障壁複合材は、液体不透過性層と、透過性層と、液体不透過性層と透過性層との間に配置され前端縁と後端縁とを有する矩形の吸収体コアと、に関連する。吸収体コアは、背部区域における吸収体コアの長さを前部区域と中央区域における吸収体コアの長さで割ったものが０．１０より小さくなり、前部区域における吸収体コアの長さが背部区域における吸収体コアの長さより大きくなるように上記区域内に配置される。１つの態様においては、外側カバーはさらに、脚開口部の各々の周りに配置されて該脚開口部の各々の周りにギャザーを形成する脚弾性体と、前身頃部及び後身頃部の周りに配置されて前身頃部及び後身頃部のギャザーを形成するウエスト部弾性体とを含む。
【０００７】
（発明を実施するための最良の形態）
本発明による物品及び方法は、腰部及び腹部の周囲に周方向に伸長可能であり失禁の防護を与える弾性を付与された脚開口部と胴部を含む、３次元の使い捨ての個別のアンダーパンツを有する吸収性アンダーパンツを提供する。
本発明は、アンダーパンツの股部に関連する可撓性の吸収体コアによって得られる防護を提供する吸収性アンダーパンツを含み、ここで該吸収体コアは、各脚開口部を囲む弾性体システムによって、失禁による放出に対し適切な位置に保持される。吸収体コアはアンダーパンツの股部からアンダーパンツの本体の前身頃部分と後身頃部分に延びる。本発明のアンダーパンツは失禁による放出を捕捉し吸収することができ、また液体が外側の衣服及びベッドリネンに透過することを防ぐことができる。
【０００８】
本発明は、好ましい吸収力、閉じ込め性、及び快適性を有する吸収性アンダーパンツを提供する。本発明のアンダーパンツは、衣類の縦方向の寸法において非対称に設置されるように前部区域と中央区域に配置された吸収体コアを提供する。吸収性パッドを衣類の縦方向の寸法において非対称に設置することは、平坦な状態から解剖学的に合致する形状へと変形されたときに、衣類が妥当且つ快適に形成されることを容易にする。
背部区域における吸収体コアの長さを、アンダーパンツの中央区域の吸収体コアの長さに前部区域の吸収体コアの長さを足したもので割った比例歪係数は、約０．１０より小さい。１つの態様においては、本発明の比例歪係数は０．０９５より小さく、好ましくは０．０８５より小さく、最も好ましくは０．０７より小さい。使い捨てアンダーパンツは、中央区域において袋構造を形成することを容易にする弾性を付与された物品を提供し、使い捨てアンダーパンツと着用者との間の効果的なシールを提供する。本発明の使い捨てアンダーパンツは快適に着用でき、好ましい閉じ込め特性を有する。
【０００９】
本発明の１つの好ましい実施形態は、吸収体コアの全寸法にわたる繊維及び超吸収体のＣＤ方向及びＭＤ方向における連続的かつ一定の比率により、水性液体がＸ、Ｙ、及びＺ方向へ急速に移動することを容易にする吸収体コアを提供する。１つの態様では、吸収体コアは、該吸収体コアの全寸法にわたるＣＤ方向及びＭＤ方向において、繊維又は超吸収体の密度と区域に差異を有する。
本発明は、１つの態様において、上面シート層と吸収体コアとの間の大量に奔出した水性液体を収容するための取り込み材料でできたサージ層を含む、ヒトの排泄物の吸収と収容に使用する使い捨てアンダーパンツを提供する。
本発明は、１つの態様において、吸収体コアと、上面シート層と吸収体コアとの間の大量に奔出した水性液体を収容するための取り込み材料でできた液体障壁サージ層との間に設置された綿撒糸を含む、ヒトの排泄物の吸収と収容に使用する使い捨てアンダーパンツを提供する。
【００１０】
本発明は、１つの実施形態において、綿撒糸と、取り込み材料でできたサージ層との両方を含む、使い捨てアンダーパンツを提供する。
１つの実施形態において、綿撒糸と、取り込み材料でできたサージ層は、使い捨てアンダーパンツの前部区域及び中央区域の中に歪まされ、背部区域には存在しない。
「水性−液体不透過性」とは、尿のような水性液体を収容し、通常の使用条件下では水性液体との接触点において層又はラミネートの平面に垂直な方向に該水性液体を透過させない層又はラミネートを意味する。
ヒトの解剖学的構造に関連する背部、背部側、又は背部分という語は、図１を参照して定義される。図３は、図示されたアンダーパンツの中心を通ってこれを前半分と後ろ半分に分割する横断軸線又は横断平面を図示する。着用者の「背部」又は「背部側」或いは「背部分」は、着用者の一方の側の中心線から背中を回って着用者の他方の側の同様の箇所までの部分を含む。
背部区域とは、着用者の身体の後方側で着用される、衣類の全長の背部側３分の１の区域である。
【００１１】
障壁布又は障壁とは、水性液体の透過に対して比較的不透過性である布を意味し、即ちＡＳＴＭ試験法２２による血液透過率が１．０又はそれより低い布を意味する。
障壁布とは、水性液体及び／又は微粒子による浸透に対し有用なレベルの抵抗性を有する布を指す。水性液体の浸透に対する抵抗性は、静水頭試験、透過試験、及び水噴霧浸透試験により測定される。特に指定のない限り、水性液体の浸透に対する抵抗性をもつ材料は、標準静水圧試験ＡＡＴＣＣＴＭ第１２７−１９７７号による判定に従い、少なくとも約２０センチメートルの静水頭を有する材料を指す。そうした耐水性液体材料は、例えば、６０センチメートル又はそれ以上の静水頭を有することができる。微粒子による浸透に対する抵抗性は、空気フィルタの乾燥粒子保持力を判定することによって測定され、粒子抵抗効率として表すことができる。具体的には、粒子抵抗効率は、材料を通る或る範囲の寸法の粒子の通過を防止する効率を指す。粒子抵抗効率は、例えばミシガン州グラス・レイク所在のＩｎｔｅｒＢａｓｉｃ  Ｒｅｓｏｕｒｃｅｓ  Ｉｎｃ．社によって実施されるＩＢＲ試験法第Ｅ−２１７号改訂Ｇ（１９９１年１月１５日）といった試験を用いて、空気フィルタの乾燥粒子保持力を判定することによって測定される。障壁布のためには、高い粒子抵抗効率が好ましい。好ましくは、障壁布は、少なくとも約２０ｃｍの水道水の柱による浸透に対して抵抗すべきであり、及び／又は、約０．１ミクロンより大きい直径を有する粒子に対し少なくとも約４０パーセントの粒子抵抗効率を有するべきである。
【００１２】
配合物とは、２つ又はそれ以上のポリマーの混合物を意味し、それに対し「アロイ」という用語は、その成分は非混和性であるが相溶化されたものである配合物のサブクラスを意味する。「混和性」は、混合の自由エネルギーに対して負の値を有する配合物として定義され、「非混和性」は正の値を有する配合物として定義される。更に、「相溶化」は、合成物を製造するために非混和性ポリマー配合物の界面特性を修正する工程として定義される。
結合されるとは、２つの要素を接合する、接着する、接続する、取り付けること等を指す。各々が介在する要素に直接結合される場合のように、互いに直接に又は互いに間接的に結合される場合に、２つの要素が互いに結合されると考えられる。
【００１３】
ボンデッドカーデッドウェブは、ステープル繊維を機械方向に細分し整列させて機械方向に配向された繊維質の不織ウェブを形成する梳き又は梳毛ユニットを通して送り出されたステープル繊維から作られたウェブを指す。そうした繊維は通常、梳毛ユニットに先立って繊維を分離するピッカに入れられるベールの形で購入される。ウェブが形成され、次いで幾つかの公知の結合方法のうちの１つ又はそれ以上の方法によって結合される。そうした結合方法の１つは、粉末状の接着剤がウェブを通して撒布され、次いで通常はウェブと接着剤を高温の空気で加熱することで活性化される粉体結合である。別の好適な結合方法は、加熱したカレンダー・ロール又は超音波結合装置を用いて、通常は局所化された結合パターンで繊維が互いに結合されるが、必要であれば全表面にわたってウェブを結合することができるパターン結合である。特に２成分ステープル繊維を使用するときに好適な別の結合方法は、通気結合である。
【００１４】
嵩とは、ニューヨーク州アミティヴィル所在のＴＭＩ（Ｔｅｓｔｉｎｇ  Ｍａｃｈｉｎｅｓ  Ｉｎｃｏｒｐｏｒａｔｅｄ）社から入手可能なモデル４９−７０厚さ試験機を用いて測定されたサンプルの厚さを指す。厚さ試験機には直径２インチの円形足部１個が装備され、測定は約０．２ポンド毎平方インチ（ｐｓｉ）の圧力をかけて行われた。ほぼ乾燥した、即ち従来の方法によって求めた際に、重量の約１０パーセントより低い水分量を有すると判定されたサンプルの嵩測定値を、乾燥嵩と呼ぶ。
「機械横方向」又はＣＤという用語は、布の幅即ち「機械方向」又はＭＤに対して直角をなす方向を指す。
ＣＤ方向は製品の横方向又は短い方の方向であり、一般にＭＤ又は機械方向に対して直角をなす。
【００１５】
セルロース繊維とは、セルロース、即ち直線状の水湿潤性多糖類からなる繊維を指し、木材パルプ、バガス、又は綿リンターといったより大きな天然の集合体の単一の構成要素として存在するか、又はアルファ・パルプ或いはビスコース・レーヨンといった天然の集合体の誘導体として存在する。
中央区域とは、着用者の身体上における製品の前部領域と背部領域との間にある、衣類の全長の中央の３分の１の区域である。
近接する、とは、１つの要素が、他の近傍の構造、製造上の制限、快適性、又はフィット性の考慮に起因して可能な限り、別の要素の付近に配置されることを意味する。
【００１６】
コフォームとは、シュートの近くに少なくとも１つのメルトブロー金型ヘッドが配置され、該シュートを通して他の材料が形成中のウェブに添加されるような製法を意味する。そうした他の材料とは、パルプ、超吸収性粒子、セルロース、又はステープル繊維である。コフォーム法は、ラウに付与され、本出願人に譲渡された米国特許第４，８１８，４６４号及びアンダーソン他に付与された第４，１００，３２４号に示されている。コフォーム法により形成されたウェブはコフォーム材料と呼ばれる。
本質的に含む、とは、所与の組成又は製品の所望の特徴に顕著な影響を与えない追加の材料の存在を除外するものではない。この種の例示的な材料には、これらに限定されることなく、顔料、酸化防止剤、安定剤、界面活性剤、ワックス、流動促進剤、微粒子、及び組成物の加工可能性を増強するために添加される材料を含むことができる。
連続的な、とは、記載された構造体が閉ループ構造であることを意味する。連続的構造体は、単一の即ち１部品の構造体であるか、又は適切に接合されて閉ループを形成した個々の要素から成る。
【００１７】
使い捨てとは、記載された衣類又は物品が、排尿、排便、又はその他によって汚れるまで使用され、次いで、洗って再び再利用されるのではなく廃棄されるように設計されていることを意味する。使い捨てとは、１回の使用又は１回の限定された使用に限定されず、消費者にとって非常に安価なため、たった１回の使用又はわずかな回数の使用の後で汚れるなどして使用不可能になった場合に廃棄してしまえる物品のことも指す。
配置される、〜の上に配置される、〜と共に配置される、〜に配置される、又は〜の近くに配置される、とは、１つの要素が別の要素と一体化されるか又は単一化され得ることを意味するように意図され、又は１つの要素が別の要素に接合された、又は接続された、又はそれと共に設置された、又はその付近に設置されたことを意味するように意図されている。
【００１８】
繊維、フィルム、又は布を指す際の弾性又はエラストマー性の、とは、バイアス力を付与されたときに、弛緩し伸長されていない長さの少なくとも約１５０パーセント又は１．５倍に伸長されたバイアス長さにまで引き伸ばし可能であり、伸長させるバイアス力が解除されると、その伸びの少なくとも５０パーセントまで回復する材料を意味する。
弾性、弾性的、又は弾性を付与された、とは、％で表され、変形を生じさせる力を除いた後に、元の寸法及び形状の少なくとも一部を材料又は複合弾性材に取り戻させる、材料又は複合弾性材の特性を指す。
弾性化可能な、とは、活性化させてその弾性を回復させることのできる、一時的に弾性の付与又は弾性が抑制された部材部材を表す。
弾性を付与された、とは、材料が本来非弾性であり、それが弾性材料に接合されることで弾性をもたされたことを意味する。
【００１９】
伸びとは、パーセントで表され、引き伸ばされる前の材料の長さに対する材料の引き伸ばしの比率を意味し、式１（Ｅｑ．１）で示される。
（Ｅｑ．１）引き伸ばされた長さ−元の長さ／元の長さ×１００
引き伸ばし可能な、伸ばせる、伸長する、伸長可能性、又は伸長性とは、長さの単位で表され、材料がその長さを増すことができることを意味する。
引き伸ばし、引き伸ばす、又は引き伸ばされた、とは、伸ばされることにより、材料の長さが増大する変化を指し、長さの単位で表される。
布は、織成ウェブ、編成ウェブ、及び不織ウェブの全てを指すのに用いられる。
【００２０】
フィラメントは、直径又は幅に対する長さの比率が高い要素を指し、繊維、糸、ストランド、ヤーン、又はこれらの要素の組み合わせを含む。
完成品は、意図された目的に合わせて製造された製品を意味する。
可撓性とは、応従性があり、人体の全体的な形及び輪郭に容易に適合する材料を指す。
前部、前部側、又は前部分は、「背部」、「背部側」、又は「背部分」と相補的である、物品又は衣類の前方部分を含む。
前部又は背部は、本記載の全体を通じて、着用者に位置されたときに衣類がとる位置ではなく、衣類自体に対する関係を指すために用いられる。
前部区域とは、着用者の身体の前方側で着用される、衣類の全長の前方３分の１である。
例えば開口部又は縁部に関連する完全にギャザー寄せされた、とは、開口部又は縁部の辺りの材料がその全周に沿ってギャザー寄せされることを意味する。
【００２１】
衣類とは、着用可能な医療向けでないどんな形式の衣料品をも意味し、工業用作業着及びカバーオール、アンダーパンツ、パンツ、シャツ、ジャケット、手袋、又は靴下を含む。衣類とは、着用可能などんな形式の衣料品をも意味し、工業用作業着及びカバーオール、アンダーパンツ、パンツ、シャツ、ジャケット、手袋、靴下などを含む。
親水性とは、繊維に接触する水性液体によって湿潤される繊維又は繊維の表面を表す。材料の湿潤度は、関係する液体と材料の接触角及び表面張力によって説明することができる。特定の繊維材料又は繊維材料の配合物の湿潤性を測定するのに適した装置及び技術は、Ｃａｈｎ  ＳＦＡ−２２２表面張力分析器システムによって与えられる。Ｃａｈｎシステムで測定する場合には、９０度より小さい接触角を有する繊維は「湿潤性」即ち「親水性」を示し、９０度より大きい接触角を有する繊維は「非湿潤性」即ち「疎水性」を示す。
【００２２】
取り込み層、取り込み材料、又はサージ層は、吸収パッドに導入された水性液体の放出を減速させ、拡散させるように設計された材料を指す。こうした材料の実例は、Ｄ．  Ｐｒｏｘｍｉｒｅ他に付与された１９９３年３月９日付の米国特許第５，１９２，６０６号、Ｅｌｌｉｓ他に付与された１９９６年１月２３日付の米国特許第５，４８６，１６６号、Ｅｌｌｉｓ他に付与された１９９６年２月１３日付の米国特許第５，４９０，８４６号、Ｈａｎｓｏｎ他に付与された１９９６年４月２３日付の米国特許第５，５０９，９１５号に記載され、それらの開示は引用によりここに組み入れられる。
【００２３】
一体の、とは、互いに結合されるか、共に設置されるか、又は互いに接近して設置された別個の構造体を指すのではなく、単一の単位要素の種々の部分を指すのに用いられる。
内側、又は外側は、吸収性衣類の中心に対する位置を指し、具体的には、吸収性衣類の縦方向中心及び横方向中心に対して、横方向及び／又は縦方向に近い又は遠い位置を指す。
接合、接合する、接合された、又はその変形物は、２つ又はそれ以上の要素の間の関係を表すのに用いられたときには、その要素が、熱シール、超音波結合、熱結合、接着剤、ステッチといった好適な手法のいずれかを用いて互いに接続することができることを意味する。更に要素は、互いに直接に接続するか、或いはそれらの間に１つ又はそれ以上の要素を介在させてそれら全てを互いに接続することができる。
層は、単数形で用いられる場合には、単一の要素又は複数の要素の両方の意味を持ちうる。
液体は、流動し、且つそれが注入又は入れられる容器の内部の形状を取ることのできる物質及び／又は材料を意味する。本明細書においては、水性液体は水性の流体材料を意味する。
【００２４】
液体連通又は液体移入とは、水性液体が２つの構造体の間を又は該構造体に沿って移動するのを防止する水性液体不透過性の障壁が存在しないときに、水性液体が２つの構造体を通して、又はそれらの間を、或いはそれらに沿って移動可能であることをいう。
少なくとも１つの水性液体不透過性フィルム又は水性液体不透過性層を含む層又はラミネートの説明に用いられる場合の液体不透過性とは、通常の使用条件では水性液体が液体接触点においてラミネートの平面にほぼ垂直な方向にラミネートを通過しないことを意味する。液体は、水性液体不透過性のフィルム又は層の平面に平行に広がる即ち移送されるが、これはラミネートに関して使用される場合の「水性液体不透過性」の意味に含まれるとは考えない。
機械方向又はＭＤは、布が製造される方向の長さを意味する。「機械横方向」又はＣＤという用語は、布の幅即ちＭＤに対してほぼ直角をなす方向を意味する。
ＭＤ方向は製品の縦方向又は長い方の方向であり、典型的には製品が製造される方向である。
部材は、単数形で用いられる場合には、単一の要素又は複数の要素の両方の意味を持ちうる。
【００２５】
マイクロファイバーは、例えば約０．５ミクロンから約５０ミクロンまでの平均直径を有する繊維といった、平均直径が約７５ミクロンを越えない小直径の繊維を意味し、より具体的には、マイクロファイバーは、約２ミクロンから約４０ミクロンまでの平均直径を有することができる。別の頻繁に使用される繊維直径の呼び方は、デニールであり、これは繊維９０００メートル当たりのグラム数として定義され、平方ミクロン単位の繊維直径にグラム／ｃｃ単位の密度を乗じ、０．００７０７を掛けたものとして算出される。デニールが低いほど繊維が細いことを示し、デニールが高いほど繊維が厚い又は重いことを示す。例えばポリプロピレン繊維の直径を１５ミクロンとすると、デニールに換算するには、これを平方し、得られた答えに０．８９ｇ／ｃｃを掛け、０．００７０７を掛ける。このようにして、１５ミクロンのポリプロピレン繊維は、約１．４２のデニールを有する（１５2×０．８９×．００７０７＝１．４１５）。米国以外では、測定の単位は「テックス」がより一般的であり、これは繊維１キロメートル当たりのグラム数として定義される。テックスはデニール／９として算出される。
【００２６】
単成分繊維は１つ又はそれ以上の押出機からただ１つのポリマーのみを用いて形成された繊維を指すが、１つのポリマーから形成され、着色、帯電防止特性、減摩、又は親水性をもたせるための少量の添加物を添加された繊維を除外するものではない。こうした添加物、例えば着色のための二酸化チタンは、一般的に５重量パーセントより少ない量で存在し、より典型的には約２重量パーセントより少ない量で存在する。
多層ラミネートは、スパンボンド／メルトブロー／スパンボンド（ＳＭＳ）ラミネートといった、幾つかの層がスパンボンドであり、また幾つかがメルトブローンであるようなラミネートを指し、またＢｒｏｃｋ他に付与された米国特許第４，０４１，２０３号、Ｃｏｌｌｉｅｒ他に付与された米国特許第５，１６９，７０６号、Ｐｏｔｔｓ他に付与された米国特許第５，１４５，７２７号、Ｐｅｒｋｉｎｓ他に付与された米国特許第５，１７８，９３１号、及びＴｉｍｍｏｎｓ他に付与された米国特許第５，１８８，８８５号に開示されたその他のラミネートを指す。そうしたラミネートは、動く形成ベルト上にまずスパンボンド布層、次にメルトブロー布層、そして最後にまた別のスパンボンド層を逐次的に堆積し、次にこのラミネートを後で説明する手法で結合することによって製造される。代替的に、布層は個別に製造されてロールに集められ、別個の結合段階を踏んで組み合わされる。そうした布は、通常、約０．１ｏｓｙから１２ｏｓｙ（６ｇｓｍから４００ｇｓｍ）までの秤量を有し、より具体的には約０．７５ｏｓｙから約３ｏｓｙまでの秤量を有する。多層ラミネートはまた、例えばＳＭＭＳ、ＳＭ、ＳＦＳ、などのように、種々の数のメルトブロー層又は多数のスパンボンド層を多くの異なった構成で備えることができ、またフィルム（Ｆ）又はコフォーム材料のような他の材料を含むことができる。
【００２７】
非弾性体は、「弾性体」の定義に含まれない材料のいずれをも指す。
不織布又は不織ウェブは、編成された布のようには識別できない形で互いに重なり合わされた個別の繊維又は糸からなる構造体を有するウェブを意味する。不織布又は不織ウェブは、例えばメルトブロー法、スパンボンド法、及びボンデッドカーデッドウェブ法といった多くの工程から形成されてきた。不織布の秤量は、１平方ヤード当たりの材料のオンス数（ｏｓｙ）で表されるか、又は１平方メートル当たりの材料のグラム数（ｇｓｍ）で表され、繊維直径はミクロンで表される。ｏｓｙからｇｓｍへ換算するには、ｏｓｙを３３．９１倍する。
【００２８】
不織ウェブとは、織物の製織工程又は編成工程の援助なしに形成される材料のウェブ、即ち識別できる繰り返しパターンのいずれにもよらずに互いに重なり合わされた個々の繊維又は糸からなる構造体を有するウェブを意味する。不織ウェブは、例えばメルトブロー法、スパンボンド法、及びボンデッドカーデッドウェブ法といった種々の工程から形成されてきた。不織ウェブとは、織物の製織工程又は編成工程の援助なしに形成される材料のウェブを意味する。不織ウェブは、例えばメルトブロー法、スパンボンド法、及びボンデッドカーデッドウェブ法といった種々の工程から形成されてきた。不織布の秤量は、１平方ヤード当たりの材料のオンス数（ｏｓｙ）で表されるか、又は１平方メートル当たりの材料のグラム数（ｇｓｍ）で表され、繊維直径はミクロンで表される。
【００２９】
作動的に取り付けられる、弾性的に関連付けられる、又は関連付けられる、とは、弾性部材の別の要素への取り付けに関しては、弾性部材が要素に取り付けられた又は共に設置された又は要素から形成されたときに該要素に弾性特性が与えられることを意味する。非弾性部材の別の要素への取り付けに関しては、該部材と該要素が、意図された即ち記載された機能を果たすのを許す又は許容する一方、個々の要素の特性を完全に抑制することのない好適な手法のいずれかによって互いに取り付けられる又は共に設置できることを意味する。接合又は設置は、いずれかの部材を要素に直接取り付ける又は設置する場合のように直接的に行われるか、又は第１部材と第１要素との間に配置された別の部材又は要素により間接的に行われる。弾性部材の非弾性部材への接合において、接合された２つの部材は弾性即ち弾性特性を呈することができる。作動的に取り付けられる、とは、弾性部材の別の要素への取り付けに関しては、弾性部材が要素に取り付けられた又は接続されたとき、或いは熱又は化学物質で処理されたときに、伸長することなどによって、該要素に弾性特性が与えられることを意味し、非弾性部材の別の要素への取り付けに関しては、該部材と該要素が、意図された即ち記載された接合機能を果たすのを許す又は許容する好適な手法のいずれかによって取り付けられることを意味する。接合、取り付け、接続などは、いずれかの部材を要素に直接接合する場合のように直接的に行われるか、又は第１部材と第１要素との間に配置された別の部材により間接的に行われる。
【００３０】
外側は、吸収性衣類の中心に対する位置を指し、具体的には、吸収体の縦方向中心及び横方向中心に対して、横方向及び／又は縦方向に遠い位置を指す。
部分的に弾性の、とは、少なくとも１つの弾性部分を有する基体、衣類、衣類の一部などを指す。
ＳＡＰ又はＳＡＭにおける粒子とは、これらに限定されないが、球形の粒、円筒形の繊維又はストランド、平坦な又は粗い表面、シート、リボン、ひも、ストランド等といった幾何学的形状又は非幾何学的形状のいずれかを意味する。吸収性構造体に使用されたときには、粒子はゆるくまとめて形付けされた構造体にするか、又は圧縮して形付けされた形態にすることができる。
透過性の、又は透過性、或いは透過性の、とは、例えばガスのような水性液体が特定の多孔性材料を通過する能力を指す。透過性は、単位面積毎単位時間当たりの容積の単位で表され、例えばｆｔ3／分／ｆｔ2のように、材料の平方フィート毎分毎立方フィートで表される。透過性は、Ｆｒａｚｉｅｒ  Ｐｒｅｃｉｓｉｏｎ  Ｉｎｓｔｒｕｍｅｎｔ  Ｃｏｍｐａｎｙ社から入手可能なＦｒａｚｉｅｒ通気性試験器を用いて判定され、サンプル寸法を７インチ×７インチではなく８インチ×８インチにしたことを除き、連邦試験方法５５０標準Ｎｏ．１９１Ａに従って測定された。透過性は、空気又は他の気体が透過性シートを通過する能力として表されるが、十分なレベルの気体透過性は、本発明の実施を可能にする水性液体透過性のレベルに対応させることができる。例えば気体透過性のレベルが十分であると、例えば真空圧の付加又は気体圧の付加といった駆動力の援助を伴い又はそうした援助なしに、水性液体が妥当なレベルで透過性シートを通過できる。
【００３１】
パーソナルケア製品は、おむつ、トレーニングパンツ、吸収性アンダーパンツ、成人の失禁用製品、及び婦人用衛生製品を意味する。
ポリマーは、これらに限定されないが、単独重合体、及び例えばブロック共重合体、グラフト共重合体、ランダム共重合体、及び交互共重合体といった共重合体、及び三元共重合体、及びその配合物と変成物を含む。特に指定のない限り、「ポリマー」という用語は分子のあらゆる幾何学的構成を含む。構成には、これらに限定されないが、アイソタクチック対称、シンジオタクチック対称、及びランダム対称が含まれる。
パルプは、木本植物及び非木本植物といった天然資源に由来する繊維を含有するパルプを指す。木本植物は、例えば落葉樹及び針葉樹を含む。非木本植物は、例えば綿、亜麻、アフリカハネガヤ、トウワタ、藁、ジュート麻、及びバガスを含む。
【００３２】
「取り外し可能に取り付けられる」、「取り外し可能に結合される」、「取り外し可能に係合される」、及びこれらに類する用語は、要素の一方又は両方にかかる分離力のないときは該要素が接続された状態のまま維持される傾向があり、実質的な永久変形又は破断を生じることなく該要素を分離することができるように２つの要素が接続される即ち接続可能であることを指す。分離に必要な力は通常、吸収性衣類の着用中に直面する力以上のものである。
収縮は、引き伸ばしを生じさせる力が解除された際に、引き伸ばされた材料の長さが減少する変化を指す。
側部は、身体の側部が支持面に対向する位置を指す。
【００３３】
スパンボンド繊維は、溶融した熱可塑性材料を、紡糸口金の複数の微細な、通常は円形の毛管からフィラメントとして押し出し、押し出されたフィラメントの直径を、例えばアッペル他に付与された米国特許第４，３４０，５６３号、ドーシュナー他に付与された米国特許第３，６９２，６１８号、マツキ他に付与された米国特許第３，８０２，８１７号、キニーに付与された米国特許第３，３３８，９９２号ならびに第３，３４１，３９４号、ハートマンに付与された米国特許第３，５０２，７６３号、及びドーボー他に付与された米国特許第３，５４２，６１５号におけるような形で、その後急速に縮小することにより形成される小直径の繊維を指す。スパンボンド繊維は、一般に集積面上に堆積される際に粘着性がない。スパンボンド繊維は一般に連続的であり、その平均直径（少なくとも１０個のサンプルによる）は７ミクロンより大きく、より具体的には約１０ミクロンから２０ミクロンの間である。
【００３４】
ステープル繊維は、天然繊維又は例えば製造されたフィラメントから或る長さに切断されたものを指す。ステープル繊維は、典型的には約３ミリメートルから約７．５ミリメートルまでの間の長さを有する。
伸長する、伸長可能性、又は伸長特性は、長さの単位で表され、材料がその長さを増すことができることを意味する。引き伸ばし可能な、も参照されたい。
ストレッチ結合は、弾性部材のみが、弛緩した状態での長さの少なくとも約２５パーセント引き伸ばされた状態で別の部材に結合される工程を指す。「ストレッチ結合ラミネート」は、ストレッチ結合工程、即ち弾性層のみが引き伸ばされた状態で互いに接合され、これにより層が弛緩したときに非弾性層にギャザーが寄る工程によって製造された複合弾性材を指す。そうしたラミネートは通常、機械方向に伸長特性を有し、結合箇所の間にギャザー寄せされた非弾性材料が弾性材料に許す程度の伸びまで伸長される。ストレッチ結合ラミネートの１つの形式は、例えばＶａｎｄｅｒ  Ｗｉｅｌｅｎ他に付与された米国特許第４，７２０，４１５号に開示されており、該特許においては押出機の多くのバンクから形成された同一のポリマーからなる多層の層が用いられている。他の複合弾性材は、Ｋｉｅｆｆｅｒ他に付与された米国特許第４，７８９，６９９号、Ｔａｙｌｏｒに付与された米国特許第４，７８１，９６６号、及びＭｏｒｍａｎに付与された米国特許第４，６５７，８０２号ならびに第４，６５２，４８７号、及びＭｏｒｍａｎ他に付与された米国特許第４，６５５，７６０号に開示されている。
【００３５】
基体、表面、又はシートは、空気、気体及び／又は水性液体に対して透過性又は不透過性のフィルム又は織成ウェブもしくは不織ウェブである層又はラミネートか、或いは、例えば上面シートと、背面シートと、該上面シートと該背面シートの間の吸収媒体と、を備えた複合材構造体を意味する。
超吸収体は、例えば蒸留水といった水性液体に４時間漬けられる間に吸収性材料１グラムにつき少なくとも１０グラムの液体を吸収し、最大約１．５ｐｓｉまでの圧縮力の下で、実質的に吸収した水性液体の全てを保持することのできる吸収性材料を指す。
表面は、空気、気体及び／又は水性液体に対して透過性であるか又は不透過性であるかに関わらず、あらゆる層、フィルム、織布、不織布、ラミネート、複合材等を含む。
サージ層は、吸収パッドに導入された水性液体の放出の減速と拡散を助けるように設計された材料を指す。サージ材料の実例は、Ｄ．Ｐｒｏｘｍｉｒｅ他に付与された１９９３年３月９日付の米国特許第５，１９２，６０６号、Ｅｌｌｉｓ他に付与された１９９６年１月２３日付の米国特許第５，４８６，１６６号、Ｅｌｌｉｓ他に付与された１９９６年２月１３日付の米国特許第５，４９０，８４６号、Ｈａｎｓｏｎ他に付与された１９９６年４月２３日付の米国特許第５，５０９，９１５号に記載され、それらの開示は引用によりここに組み入れられる。
【００３６】
張力は、物体の引き伸ばしを生じさせる力か、又はその物体内部の引き伸ばしに抵抗する釣り合い力を指す。張力はグラム単位で表される。
熱可塑性は、熱に曝されたときには軟化し、室温まで冷やされたときには軟化していない状態に実質的に戻る材料を意味する。
通気結合即ちＴＡＢは、不織の２成分繊維ウェブを結合する工程を意味し、該工程において、ウェブの繊維のポリマーの１つを溶融させるのに十分なほど高温の空気がウェブを通過させられる。空気の速度は分速１００フィートから５００フィートまでの間であり、滞留時間は６秒程度である。ポリマーの溶融と再固化が結合をもたらす。通気結合の多様性は比較的限られる。通気結合ＴＡＢは、結合を達成するのに少なくとも１つの成分が溶融することを必要とし、共役繊維のような２つの成分を有するウェブ又は接着剤を含むウェブに限られる。通気結合装置において、一方の成分の融点より高く他方の成分の融点より低い空気が周囲のフードから導かれ、ウェブを通過して、ウェブを支持する有孔ローラに入る。代替的な構成では、通気結合装置は平坦な配置であり、空気はウェブに対し垂直方向下向きに導かれる。２つの構成の作動条件は似通っており、主たる違いは結合の間のウェブの幾何学的配置である。高温の空気は融点の低い方のポリマー成分を溶融し、そのことにより、フィラメント間に結合が形成されてウェブが一体化される。
【００３７】
２次元的とは、おむつのように、その構造のいずれかを破壊的に引き裂くことなく開いて平坦な状態に広げることができる衣類を指す。２次元的衣類は、開いて平坦に広げられたとき、連続的な脚開口部及びウエスト開口部を持たず、着用者の周りに取り付けるのに接着テープといった再締結装置を必要とする。
下着は、製品のウエスト領域に取り付けられたストラップにより着用者から吊り下げられる、実質的に長方形の成人の失禁用吸収性製品を指す。実例は、市販のＤＥＰＥＮＤ（登録商標）Ｅｌａｓｔｉｃ  Ｌｅｇ  Ｕｎｄｅｒｐａｎｔｓ製品である。
ウエストバンドは、アンダーパンツのウエスト開口部周りの縁部を指し、材料の１つ又はそれ以上の層から形成される。
【００３８】
ここで図１ａを参照すると、使い捨てアンダーパンツ１２は組み立てる前の平坦な構成で示されて、本発明による物品の好ましい実施形態を図示する。
以下の詳細な記載は、使用中のしかるべき位置に吸収体コアが配置された使い捨てアンダーパンツ１２を含む物品１０についてなされる。本発明は、成人用、小児用、及び乳児用製品において、失禁、おりもの、発汗性排出物などに対して使用される。
図１ａにおいて、外側カバー１３を有するアンダーパンツ１２が示され、該アンダーパンツは、前身頃部１４、後身頃部１５、前ウエスト縁部４４、背ウエスト縁部４５、股部１８、図５及び図７において随意的に示されたウエストライナ２６、図５及び図７において随意的に示された脚ライナ３８、及び身体ライナ８０を含む。外側カバー１３は、前身頃部１４、後身頃部１５、前ウエスト縁部４４、背ウエスト縁部４５、及び股部１８を含み、ここで股部１８は前身頃部１４と後身頃部１５の間に介在する。
【００３９】
外側カバー１３は応従性があり、着用者に軟質な感触を与える。外側カバー１３は軟質で可撓性のある多孔質のシートであり、液体透過性であって液体がその厚みに容易に浸透することを許容するか、又は液体不透過性であってその厚みへの液体の浸透に対し抵抗力を持つ。好適な外側カバー１３は、例えば木材繊維又は綿繊維などの天然繊維、或いは例えばポリエステル繊維又はポリプロピレン繊維などの合成繊維といった多種様々な材料から製造されるか、又は天然繊維と合成繊維の組み合わせ又は網状発泡体及び穿孔されたプラスチックフィルムから製造される。
【００４０】
１つの態様において、外側カバー１３は、ポリプロピレン、ポリエチレン、ポリエステルなどの合成ポリマーフィラメントで構成されたスパンボンドウェブ、メルトブローウェブ、又はボンデッドカーデッドウェブといった織成又は不織ウェブ又はシートであるか、或いはレーヨン又は綿といった天然ポリマーフィラメントのウェブである。１つの態様において、ボンデッドカーデッドウェブは熱結合されるか、又はバインダを噴霧される。適切には、外側カバー１３は不織スパンボンドである。好適には、外側カバー１３は、ワイヤ織り結合パターンをもつスパンボンド・ポリプロピレンの不織物である。スパンボンド材料は、ジョージア州ロズウェル所在のキンバリークラーク・コーポレーションから入手可能である。外側カバー１３は、約０．３オンス毎平方ヤード（ｏｓｙ）から約２．０ｏｓｙまでの範囲の坪量を有し、好ましくは約０．６ｏｓｙまでの坪量を有する。アンダーパンツの外側カバー１３には、印刷加工、着色加工、又は装飾的なエンボス加工を行うことができる。外側カバー１３は、材料の通気性により空気、汗、又は発汗を直ちに通過可能にする寸法の小孔を有する。１つの態様において、外側カバー１３は選択的にエンボス加工されるか又は該カバー１３を貫通して延びる個別のスリット或いは穴によって穴開けされる。
【００４１】
ここで図１ａ、図２ａ、及び図３を参照すると、前身頃部１４の縁６０は、後身頃部１５の縁６２と共に組み立てられて、シール即ち側部シーム６４を形成する。前身頃部１４の縁６６は、後身頃部１５の縁６８と共に組み立てられてシール即ち側部シーム７０を形成する。組み立てられた前身頃部１４と後身頃部１５は、アンダーパンツ１２を着脱するためのウエスト開口部２０を形成する。ウエスト開口部２０は、弾性材料からなる１本から４０本までの弾性ストランド、糸、リボン、又はバンドを含むウエスト部弾性体２２によって少なくともその一部を囲い込まれる。ウエスト部弾性体２２は身頃部１４及び１５に伸長した状態で取り付けられる。１つの態様において、ウエスト部弾性体２２は、前ウエスト縁部４４及び背ウエスト縁部４５に設置される。別の実施形態においては、ウエスト部弾性体２２は前身頃部１４のみに含まれるか、又は後身頃部１５のみに含まれる。ウエスト部弾性体２２は、取り付けの後に解除されて、ウエスト開口部２０が広がるためのウエスト部ひだ、ウエスト部ギャザー、又はウエスト部プリーツ２４（図４及び図５に示す）を作り出し、それによりアンダーパンツ１２は様々な寸法の個人にフィットできるようになる。
【００４２】
使用者はブリーフ様式のアンダーパンツの方を好むため、アンダーパンツ１２の前ウエスト縁部４４はへそに達するか又は着用者の胴部の周りまで達することが好ましい。アンダーパンツ１２をブリーフ様式の高さにおき、次に前身頃部１４と後身頃部１５のいずれか又は両方を、ウエスト部弾性体２２を用いて引き付けることは、快適なフィット性を与える。代替的なアンダーパンツの様式は、例えばレギュラー・レッグカット及びフレンチ・レッグカットのビキニ、及び例えばレギュラー・レッグカット及びフレンチ・レッグカットのヒップハングを含む。
１つの実施形態において、ウエスト開口部２０は、前ウエスト縁部４４及び／又は背ウエスト縁部４５に伸長した状態で取り付けられた１本から１０本までの弾性材料からなるストランド、リボン、又はバンドを含むウエスト弾性体２１によって囲い込まれる（図５及び図７参照）。別の実施形態においては、ウエスト弾性体２１は、前ウエスト縁部４４か又は背ウエスト縁部４５にのみ含まれる。ウエスト弾性体２１は取り付けの後解除されて、ウエスト開口部２０が広がるためのウエスト部ひだ、ウエスト部ギャザー、又はウエスト部プリーツ２４（図４及び図５に示す）を作り出し、それによりアンダーパンツ１２が様々な寸法の個人にフィットできるようになる。ウエスト部弾性体２２で使われる張力又は伸びとは異なる張力又は伸びを有するウエスト弾性体２１を用いることで、より良好にフィットするアンダーパンツ１２が提供される。
【００４３】
図１ａに戻って参照すると、前身頃部１４及び後身頃部１５は股部１８と共に脚開口部２８及び３０を形成し、該脚開口部の形状は楕円形又は円形である。脚開口部２８は脚弾性体３２と３５によって、脚開口部３０は脚弾性体３３と３４によって、各々少なくともその一部を囲い込まれる。前部脚弾性体３２及び３３は前身頃部１４に伸長した状態で取り付けられる。背部脚弾性体３４及び３５は後身頃部１５に伸長した状態で取り付けられる。股弾性体３７及び３９は股部１８に伸長した状態で取り付けられる。脚弾性体３２、３３、３４、３５と股弾性体３７、３９は取り付けの後解除されて、脚開口部２８及び３０が広がるための、ひだ又はプリーツ３６とも呼ばれる脚ギャザーを作り出して、様々な寸法の脚にフィットできるようにする。
【００４４】
前身頃部１４は、前身頃上側部４０と前身頃下側部４２とに分割される。（図１ａ、図２ａ、及び図３参照。）後身頃部１５は、後身頃上側部４１と後身頃下側部４３とに分割される。前身頃上側部４０と後身頃上側部４１は、好ましくは、伸長して着用者がアンダーパンツを着用できるようにし、次に容易に収縮して着用者の身体に適合することが可能なウエスト部弾性体２２を含む。ウエスト部弾性体２２は、異なる身体形状及び身体寸法に対し、緊密な即ちぴったりとしたフィット性を与える。ウエスト部弾性体２２は、ウエスト開口部２０と脚開口部２８及び３０との間の位置において前身頃上側部４０と後身頃上側部４１との両方に配置され、そのことによりアンダーパンツ１２はとりわけ身体の周りでより良好に着用者にフィットする。前身頃下側部４２と後身頃下側部４３は必ずしもウエスト部弾性体２２を必要としない。外側カバー１３、身体側ライナ８０、及びウエスト部弾性体２２を形成するラミネートの秤量は、５ｏｓｙほどである。
【００４５】
アンダーパンツ１２の股部１８は吸収性障壁複合材４６を含む。吸収性障壁複合材４６は前身頃部１４及び／又は後身頃部１５の中まで延びる。（図１ａ参照。）吸収性障壁複合材４６は更に、液体障壁４８と、実質的に液体透過性の上面シート層４９と、液体障壁４８と上面シート層４９との間に挟持された吸収体コア５０と、を含む。液体障壁４８と上面シート層４９は吸収体コア５０より長く幅広く、そのことにより、液体障壁４８及び上面シート層４９の外周は、超音波結合、熱結合、又は接着剤を用いて互いにシールされる縁部を形成する。シールされた領域において、股弾性体３７及び３９は液体障壁４８と上面シート層４９の間に組み込まれる。吸収体コア５０は超音波結合又は接着剤を用いて液体障壁４８及び／又は上面シート層４９に取り付けられる。（図１ａ、図８、及び図９参照。）
【００４６】
吸収性障壁複合材４６は身体排出物の取り入れ、拡散、及び貯蔵を援助するための追加の構成材を含む。吸収性障壁複合材４６は、例えば、Ｍｅｙｅｒ他に付与された１９８９年１月１７日付の米国特許第４，７９８，６０３号に記載されているような移送層か、又は１９９３年５月５日付欧州特許出願番号ＥＰ  ０  ５３９  ７０３  Ａ１に記載されているようなサージ管理層を含み、これらの特許及び特許出願は引用によりここに組み込まれる。このような層は取り入れ／拡散層と呼ばれる。
吸収性障壁複合材４６は、上面シート層４９の材料と液体障壁４８の材料を供給し、個々の吸収体コア５０を液体障壁４８と上面シート層４９の間に挟持することによって形成される。吸収体コア５０の外方にある液体障壁４８及び上面シート層４９の側部外周と端部外周とは、股部１８、前身頃部１４、及び後身頃部１５と共に接合されて、互いにシールされる。吸収性障壁複合材４６及び／又は吸収体コア５０は随意的に、Ｔ字形状、Ｉ字形状、楕円形状、砂時計形状、長方形形状、又は不規則形状をとる。吸収性障壁複合材４６及び／又は吸収体コア５０は、吸収性障壁複合材４６の縦方向側縁８７及び８９、吸収体コア５０の縦方向側縁５９及び６１、及び／又は使い捨てアンダーパンツ１２の縦方向側縁１０４及び１０６の両側の凹部である脚カットアウト２９及び３１を含む。着用者の脚の間の嵩を減らすことで隙間の発生が減少するか又は防止され、それにより漏れが防止されるばかりでなく快適性が向上されることから、脚カットアウト２９及び３１は、使い捨てアンダーパンツ１２の好ましいフィット性を与える。これらに限定されないが、上面シート層４９、液体障壁４８、及び外側カバー１３を含む、使い捨てアンダーパンツ１２に使用される他の材料は、脚カットアウト２９及び３１を含むように成形加工される。一実施形態においては、吸収体コア５０は、脚カットアウト２９及び３１を含むように成形加工され、上面シート層４９、液体障壁４８、及び外側カバー１３は、脚カットアウト２９及び３１を含むように成形加工されない。吸収性障壁複合材４６及び／又は吸収体コア５０において、脚カットアウト２９及び３１は使い捨てアンダーパンツ１２に対称には配置されず、使い捨てアンダーパンツ１２の前部端縁１０３に向かって歪まされる。
１つの態様において、幾何学的形状は、長方形パターン、楕円パターン、又は競走路パターン、砂時計構成、２突部形状、及び長さが幅より大きいか又は少ない形状のいずれかである。
【００４７】
ここで図１ａ、図１ｂ、図１ｃ、図２ａ、図２ｂ、図３、図１０、図１１、及び図１２を参照すると、吸収体コア５０は長方形形状であり、側縁５９及び６１と、前部端縁５５と、背部端縁５７と、を有する外周縁６７を含む。吸収体コア５０は着用者とは反対向きの外表面６３と、着用者の方を向いた内表面６５を有する。
吸収体コア５０の多孔質で繊維質の母材は、フラフ及び高吸収性材料の空気堆積バットを例えば米国特許第４，３８１，７８２号に示されたＭａｚｕｒａｋ及びＦｒｉｅｓの教示に従って形成したものであることが好ましく、その開示の全体が引用によりここに組み込まれる。
ここで図１３ａ、図１３ｂ、図１４、図１５ａ、図１５ｂ、及び図１５ｃを参照すると、吸収体コア５０は高吸収性材料（ＳＡＰ）１１０と、好ましくはフラフ・パルプである繊維１１２との空気形成された混合物を含む。最も好ましくは、図１３ａ、図１３ｂ、及び図１４に示すように、フラフ繊維１１２と高吸収性材料１１０が均一に混合されるのがよい。他の実施形態においては、図１５ａ、図１５ｂ、及び図１５ｃに示すように、混合物が層を成す（図１５ａ）か、高吸収性材料が機械方向の指定の位置に来るように段階付けされる（図１５ｂ）か、又は高吸収性材料が機械横方向に細い帯状にして置かれる（図１５ｃ）。１つの態様において、化学的に硬化処理されたパルプ及びサーモメカニカルパルプといった、フラフ・パルプ以外の繊維が使用される。１つの態様において、吸収体コア５０は空気形成フラフとＳＡＰ以外の吸収性材料を含む。例えば、ラウに付与された米国特許第４，８１８，４６４号及びアンダーソンに付与された第４，１００，３２４号に引用されているコフォーム材料は、それらがやはり高吸収性材料を含む限りにおいて、吸収体を作るのに用いられる。１つの態様において、アンダーソン他に付与された米国特許第５，６５１，８６２号に開示されているような繊維と高吸収材料の組み合わせを含む、湿潤形成された複合材が用いられる。１つの態様において、吸収性材料として、繊維と、バインダ繊維と、高吸収性材料との混合物をラテックス結合するか又は通気結合することによって互いに結合したものを含む、安定化空気堆積材料が用いられる。
【００４８】
ヒドロゲルポリマーは十分に架橋されて、材料を実質的に水不溶性にする。架橋は、照射によるか、又は共有結合、イオン結合、ファンデルワールス結合、又は水素結合によるものである。好適な材料は、ダウ・ケミカル・カンパニー（Ｄｒｙｔｅｃｈ  ２０３５  ＬＤ）、ヘキスト・セラニーズ・コーポレーション、及びアライド・コロイド社から入手可能である。高吸収性材料は自重の少なくとも約１５倍の水を吸収する能力があり、好ましくは自重の約２５倍より多くの水を吸収できるのがよい。
高吸収性材料は、吸収体コア５０の中に分散されるか又は他の手法で組み込まれる。図１３ａ、図１３ｂ、図１４、図１５ａ、図１５ｂ、及び図１５ｃに図示するように、高吸収性材料は吸収体コア５０の繊維の間に実質的に均一に分散される。１つの態様において、材料は、吸収体コア５０の繊維の内部に不均一に分散されて、液体障壁４８から内方に移動する濃度の観察により判断したときに、高吸収性材料の濃度が増大するか又は減少する連続的な勾配を形成する。１つの態様において、高吸収性材料は、吸収体コア５０の繊維質材料から分離された個別の層を含むか、又は吸収体コア５０と一体化された個別の層を含む。
【００４９】
１つの態様において、吸収パッド５０は繊維質のコアの一体性を維持するためのラップ層１００を含む。（図８参照。）ラップ層１００は、セルロース・ティシュー、或いは、ポリプロピレン、ポリエチレン、ポリエステルといった合成ポリマーフィラメントか又はレーヨン及び綿といった天然ポリマーフィラメントで構成されたスパンボンド・ウェブ材料、メルトブロー・ウェブ材料、又はボンデッドカーデッドウェブ材料を含む。
吸収体コア５０は、好ましくは、約１０グラムから約１５００グラムの排出物を吸収するのに十分なほど大きい水性液体収容力を有する。吸収体コア５０は、好ましくは収容力と、好ましくは約２５ｍｍより少ない厚さとを有し、そのことにより、嵩張らず可撓性のあるフィット性を提供する。吸収体コア５０の収容能力は、約２００グラムから約１３００グラムまでの総収容力を有する。好ましくは、吸収体コア５０の収容能力は、少なくとも約３００グラムで、かつ約１２００グラムより少ない。より好ましくは、吸収体コア５０の総収容力は約４００グラムから約８００グラムまでである。
【００５０】
吸収体コア５０の総収容力は、アンダーパンツ１２の吸収性障壁複合材４６と外側カバー１３を使って判断される。飽和保持容量は、この場合は使い捨てアンダーパンツ１２である吸収性物品１０の全吸収力の尺度である。飽和保持容量は以下のようにして求められる。試験される約７重量パーセントより少ない水分含量を有する使い捨てアンダーパンツ１２を計量し、後述する過剰量の室温（約２３℃）の食塩水に浸す。材料は、２０分間浸したままにする。２０分後、使い捨てアンダーパンツ１２を食塩水から取り出し、テフロン（登録商標）でコートされた０．２５インチの開口部を有するファイバーグラス・スクリーン（ニューヨーク州ピーターズバーグ所在のタコニック・プラスチック・インク社から市販されている）上に置き、次に該スクリーンを真空ボックスの上に置き、可撓性のラバーダム材料で覆う。真空ボックスの中に３．５キロパスカル（１平方インチ当たり０．５ポンド）の真空を５分間引く。使い捨てアンダーパンツ１２を計量する。試験されている材料によって保持された水性液体の量は、真空を適用した後の使い捨てアンダーパンツ１２の湿潤重量から該使い捨てアンダーパンツ１２の乾燥重量を引くことによって求められ、保持された水性液体のグラム数で表される飽和保持容量として報告される。
食塩水は約０．９重量パーセントの塩化ナトリウムの水溶液である。好適な製品は、イリノイ州マックゴー所在のバクスター・ダイアグノスティックス社から市販されているＳ／Ｐ（登録商標）Ｃｅｒｔｉｆｉｅｄ  Ｂｌｏｏｄ  Ｓａｌｉｎｅである。
【００５１】
吸収体コア５０は、尿、月経血、血液、又は他の身体排出物を吸収し保持するように適合された材料を含む。吸収体コア５０は、セルロース繊維、界面活性剤で処理されたメルトブロー繊維、木材パルプ繊維、再生セルロース繊維又は再生綿繊維、或いはパルプと他の繊維との配合物といった様々な天然又は合成の吸収性材料を含む。そうした材料の１つはセルロース繊維と合成ポリマー繊維の混合物で構成されたコフォーム材料である。１つの態様において、吸収体コア５０は、その吸収性を増大させる化合物を含み、例えば少なくとも自重の約１５倍で最大２５倍より多い水を吸収する能力のある有機質又は無機質の高吸収性材料を０−９５重量パーセント含む。
【００５２】
有機質の高吸収性材料は、ペクチン、グァーガム、及びピートモスといった天然材料と、合成ヒドロゲルポリマーといった合成材料を含む。そのようなヒドロゲルポリマーには、例えばカルボキシメチルセルロース、ポリアクリル酸のアルカリ金属塩、ポリアクリルアミド、ポリビニルアルコール、エチレン無水マレイン酸コポリマー、ポリビニルエーテル、ヒドロキシプロピルセルロース、ポリビニルモルフォリノン、及び、ビニルスルホン酸、ポリアクリレート、ポリアクリルアミド又はポリビニルピリジンのポリマー及びコポリマーが含まれる。他の好適なポリマーは、加水分解アクリロニトリル・グラフトでんぷん、アクリル酸グラフトでんぷん、及びイソブチレン無水マレイン酸コポリマー、及び加水分解アクリロニトリル・グラフトでんぷんとアクリル酸グラフトでんぷんとイソブチレン無水マレイン酸コポリマーとの混合物を含む。
【００５３】
好適な高吸収性材料は、Ｋｅｌｌｅｎｂｅｒｇｅｒ他に付与された１９８７年１０月１３日付の米国特許第４，６９９，８２３号に記載されている。またＫｅｌｌｅｎｂｅｒｇｅｒに付与された１９９２年９月１５日付の米国特許第５，１４７，３４３号に記載され、これらは引用によりここに組み込まれる。高吸収性材料は、ダウ・ケミカル・カンパニー、ストックハウゼン・インク社、ヘキスト・セラニーズ・コーポレーション、及びアライド・コロイド・インク社といった様々な業者から入手可能である。１つの態様において、吸収体コア５０は、繊維質吸収体の一体性を維持するため又は水性液体を移送するために、ティシュー層或いは取り入れ層又は拡散層を含む。
【００５４】
吸収性使い捨てアンダーパンツ１２は、身体排出物の取り入れ、拡散、及び貯蔵を援助するための追加の構成材を含む。１つの態様において、吸収性使い捨てアンダーパンツ１２は、例えば、Ｍｅｙｅｒ他に付与された１９８９年１月１７日付の米国特許第４，７９８，６０３号に記載されているような移送層即ちサージ層取り込み材料１１４か、又はＢｉｓｈｏｐ他に付与された１９９６年１月２３日付の米国特許第５，４８６，１６６号、Ｌａｔｉｍｅｒ他に付与された１９９４年１１月１５日付の米国特許第５，３６４，３８２号、Ｅｌｌｉｓ他に付与された米国特許第５，４９０，８４６号、Ｌａｔｉｍｅｒ他に付与された米国特許第５，４２９，６２９号、Ｈａｎｓｏｎ他に付与された米国特許第５，５０９，９１５号、Ｐｒｏｘｍｉｒｅ他に付与された米国特許第５，１９２，６０６号、及び１９９３年５月５日付欧州特許出願番号ＥＰ  ０  ５３９  ７０３  Ａ１に記載されているようなサージ管理層を含み、これらの特許及び特許出願は引用によりここに組み込まれる。このような層は取り入れ／拡散層と呼ばれる。サージ層取り込み材料１１４は吸収体コア５０の前部端縁５５から約０インチ（０ｃｍ）から約４インチ（１０．２ｃｍ）までの範囲内に配置され、吸収体コア５０の前部端縁５５から約０インチ（０ｃｍ）から約２インチ（５．１ｃｍ）まで、より好ましくは吸収体コア５０の前部端縁５５から約０インチ（０ｃｍ）から約１インチ（２．５ｃｍ）までの範囲内に配置される。
【００５５】
サージ層（取り込み材料）１１４の長さは、約５インチ（１２．７ｃｍ）から約１９インチ（４８．３ｃｍ）の間であり、好ましくは約８インチ（２０．３ｃｍ）から約１６インチ（４０．６ｃｍ）の間であり、より好ましくは約１０インチ（２５．４ｃｍ）から約１４インチ（３５．６ｃｍ）の間である。サージ層取り込み材料１１４の長さは約１２センチ（３０．５ｃｍ）である。
取り入れ／拡散層５２は、水性液体貯蔵層５１の上に、吸収体コア５０の身体対向面１６を向いて配置され、吸収体コア５０に導入された水性液体の放出を減速させ拡散させる。取り入れ／拡散層５２は、ヘキスト・セラニーズ・コーポレーションから入手可能な６デニールのポリエステル繊維４０パーセントと、チッソ株式会社から入手可能な３デニールのポリプロピレン／ポリエチレン鞘芯２成分繊維６０パーセントとの配合物から構成され、全体の秤量が約５０ｇｓｍから約１２０ｇｓｍである通気結合ボンデッドカーデッドウェブを含む。
【００５６】
代替的な取り入れ／拡散材料は、Ｄ．  Ｐｒｏｘｍｉｒｅ他に付与された１９９３年３月９日付の米国特許第５，１９２，６０６号、Ｅｌｌｉｓ他に付与された１９９６年１月２３日付の米国特許第５，４８６，１６６号、Ｅｌｌｉｓ他に付与された１９９６年２月１３日付の米国特許第５，４９０，８４６号、Ｈａｎｓｏｎ他に付与された１９９６年４月２３日付の米国特許第５，５０９，９１５号に記載され、それらの開示は引用によりここに組み入れられる。図示された取り入れ／拡散層５２は長方形で、長さは約１９１ｍｍである。また幅は約４５ｍｍである。１つの態様において、取り入れ／拡散層５２は吸収体コア５０及び使い捨てアンダーパンツ１２について開示した形状と寸法を有する。
【００５７】
好ましい吸収体コア５０は水性液体貯蔵層５２を含み、該層においてフラフ、パルプ、及び超吸収体（ＳＡＰ）といった吸収性構成材の秤量は吸収体コア５０のＭＤ長さを通じて連続的である。吸収性構成材の分布は、少なくともＹ軸方向において、好ましくはＸ軸方向及びＹ軸方向において均質であり、１つの態様においては吸収体コア５０内部のＺ軸方向において均質である。吸収体コア５０の秤量は約８０ｇｓｍから約１０００ｇｓｍまでの範囲にわたる。より好ましくは、取り入れ／拡散層５２は水性液体貯蔵層５１に配置され、該水性液体貯蔵層５１上を前方に移動させられる。フラフ・パルプ／ＳＡＰの比率は約１００：０から約４０：６０までの範囲にわたり、好ましくは約８０：２０から約５０：５０までの範囲にわたる。
【００５８】
綿撒糸１４０は、前部縁１４４と、背部縁１４６と、側縁１４８及び１５０とを含む外周縁１４２を有する（図１２参照）。綿撒糸１４０は着用者と反対向きの外表面１５２と、着用者の方を向いた内表面１５４を有する。綿撒糸１４０は吸収体コア５０に対し、吸収体コア５０の幅及び長さの各々が、吸収体コア５０の幅及び長さよりそれぞれ少なくなるような寸法を有する。この点に関し、綿撒糸１４０の長さは該綿撒糸１４０の前部縁１４４及び背部縁１４６に沿って測定され、綿撒糸１４０の幅は該綿撒糸１４０の側縁１４８及び１５０に沿って測定される。吸収体コア５０の長さは前部端縁５５から背部端縁５７の間で測定され、吸収体コア５０の幅は側縁５９と側縁６１の間で測定される。
綿撒糸１４０は、約１５重量パーセントから約３０重量パーセントのポリプロピレン繊維又はポリエチレン繊維と、約８５重量パーセントから約７０重量パーセントの木材パルプ・フラフ繊維とを含む繊維の配合物から製造され、約１００ｇｓｍから約５２５ｇｓｍの秤量を有することが好ましい。加えて、約１０ｇｓｍから約３００ｇｓｍの量の超吸収体が追加される。綿撒糸１４０はティシュー即ちスパンボンド担体シート上に形成されるか、又は担体シートなしで形成される。
【００５９】
綿撒糸１４０は図面において、吸収体コア５０の乾燥厚にほぼ等しい乾燥厚を有するものとして図示されている。１つの態様において、綿撒糸１４０及び吸収体コア５０は異なる厚さを有することができる。１つの態様において、綿撒糸１４０は吸収体コア５０の厚さの約２分の１から約４倍とすることができる。
綿撒糸１４０は使い捨てアンダーパンツ１２の中心縦方向軸線Ａ−Ａ、Ｂ−Ｂに関して対称になるように配置することができる。この位置関係にあるとき、綿撒糸１４０の前部縁１４４は上面シート層４９の前部縁９０から、綿撒糸１４０の背部縁１４６は上面シート層４９の背部縁９２から、それぞれ等距離にあり、綿撒糸１４０の側縁１４８は上面シート層４９の側縁９４から、綿撒糸１４０の側縁１５０は上面シート層４９の側縁９６から、それぞれ等距離にある。更に、この位置関係にあるとき、吸収体コア５０は綿撒糸１４０の外周縁１４２を越えて延びる。
図１２に示すように、綿撒糸１４０は、その前部縁１４４又は背部縁１４６のいずれかが上面シート層４９の前部縁９０及び背部縁９２のそれぞれから２インチ（５．１ｃｍ）以上離れるように配置することができ、なおかつ中心縦方向軸線Ａ−Ａに関して対称とすることができる。言い換えれば、綿撒糸１４０は横方向軸線Ｂ−Ｂに関して非対称とすることができる。
【００６０】
本発明の他の実施形態において、使い捨てアンダーパンツ１２は単層の吸収体コア５０を含む。吸収体コア５０は、尿、月経血、血液、又は他の身体排出物を吸収し保持するように適合された材料を含む。吸収体コア５０は、セルロース繊維、界面活性剤で処理されたメルトブロー繊維、木材パルプ繊維、再生セルロース繊維又は再生綿繊維、又はパルプと他の繊維との配合物といった様々な天然又は合成の吸収性材料を含む。そうした材料の１つはセルロース繊維と合成ポリマー繊維の混合物で構成されたコフォーム材料である。１つの態様において、吸収体コア５０は、その吸収性を増大させる化合物を含み、例えば少なくとも自重の約１５倍で最大２５倍より多い水を吸収する能力のある有機質又は無機質の高吸収性材料を０−９５重量パーセント含む。好適な高吸収性材料は、Ｋｅｌｌｅｎｂｅｒｇｅｒ他に付与された１９８７年１０月１３日付の米国特許第４，６９９，８２３号、及びＫｅｌｌｅｎｂｅｒｇｅｒに付与された１９９２年９月１５日付の米国特許第５，１４７，３４３号に記載され、これらは引用によりここに組み込まれる。高吸収性材料は、ダウ・ケミカル・カンパニー、ヘキスト・セラニーズ・コーポレーション、及びアライド・コロイド・インク社といった様々な業者から入手可能である。
【００６１】
吸収体コア５０は、Ｘ軸及びＹ軸方向とＺ軸方向において特徴付けられるような水性液体を移送することができるという特徴を与える。Ｚ軸方向への水性液体の移送は、吸い上げ特性による移動であり、重力による流れであって、このとき水性液体は着用者の身体から遠ざかっていく。Ｘ軸及びＹ軸方向への水性液体の移送は、吸収体コア５０の長さ及び幅に沿った水性液体の移動及び／又は吸い上げである。着用者から遠ざかり且つ吸収体コア５０の長さ及び幅に沿う水性液体の移動は、該水性液体が吸収体コア５０の遠位縁に向かって移動することから、吸収体コア５０の使用面積の増大をもたらし、その結果、吸収体コア５０の吸収量の増大がもたらされる。
【００６２】
図１ａ、図１ｂ、図１ｃ、図２ａ、図２ｂ、図３、図１０、図１１、及び図１２に示すように、吸収体コア５０は、該吸収体コア５０の側縁５９と側縁６１の間で測定された幅を有する。吸収体コア５０は、該吸収体コア５０の前部端縁５５と背部端縁５７の間で測定された長さを有する。吸収体コア５０の幅と長さは、各々対応する液体障壁４８の収容部７３及び水性液体不透過性上面シート層４９の幅及び長さより少ない。収容部７３の幅は、収容部７３の側縁７９と側縁８１の間で測定され、収容部７３の長さは、前部縁７５と背部縁７７の間で測定される。１つの態様において、吸収体コア５０の幅は、アンダーパンツ製品の収容部７３の幅を超える。
吸収体コア５０の全体の長さは、寝ているときや座っているときの水性液体の透過を防止する。
【００６３】
ここで図１０、図１１、及び図１２を参照すると、中央区域５６は、本発明における製品全長の３分の１の区域であり、線４−４と線５−５との間にある。前部区域５４は使い捨てアンダーパンツ１２の製品全長の３分の１の区域であり、線４−４と使い捨てアンダーパンツ１２の前部端縁１０３の間にあり、着用者の身体の前方側で着用される。使い捨てアンダーパンツ１２の背部区域５８は使い捨てアンダーパンツ１２の長さの３分の１の区域であり、線５−５と使い捨てアンダーパンツ１２の背部端縁１０５の間にあり、着用者の身体の背部側で着用される。全体の長さは少なくとも約１０インチ（２５４ｍｍ）であり、従って、使い捨てアンダーパンツ１２の縦方向中心線Ａ−Ａに沿って中央区域５６を越えて延びる。代替的に、長さは約１２インチ（３０５ｍｍ）から約３０インチ（７６２ｍｍ）の範囲内とすべきであり、好ましくは約１５インチ（３８１ｍｍ）から約２３インチ（５８４ｍｍ）の範囲に亘り、より好ましくは約１５インチ（３８１ｍｍ）から約２１インチ（５３３ｍｍ）の範囲に亘り、最も好ましくは約１７インチ（４３２ｍｍ）から約２０インチ（５０８ｍｍ）の範囲に亘る。１つの態様において、吸収体コア５０の長さは約１９インチ（４８３ｍｍ）である。
【００６４】
股部１８を越えて延びる部分の吸収体コア５０の幅は少なくとも股部１８の幅と同じくらいである。吸収体コア５０の幅は股部１８を越えた部分では狭めることができるが、これは漏れの収容力を危うくすることがある。ある場合、特に使い捨てアンダーパンツ１２が中央区域５６に脚カットアウト２９及び３１を含む場合には、吸収体コア５０の幅は股部１８を越えた部分で広くされる。吸収体コア５０は、主として前部区域５４、中央区域５６に配置され、背部区域５８にはより少なく配置され、使い捨てアンダーパンツ１２の縦方向に沿って前方にシフトされた位置関係であることから、脚カットアウト２９及び３１もまた使い捨てアンダーパンツ１２の縦方向に沿って前方にシフトされて、着用者の身体に対する使い捨てアンダーパンツ１２の位置関係に適応する。股部１８を越えて延びる部分の吸収体コア５０の幅は約２．５インチ（６４ｍｍ）から約１２インチ（３０５ｍｍ）であり、好ましくは約４．０インチ（１０２ｍｍ）から約１０インチ（２５４ｍｍ）であり、より好ましくは、約５インチ（１２７ｍｍ）から約９インチ（２２９ｍｍ）である。
【００６５】
本発明は吸収体コア５０の様々な形状を考慮している。１つの好ましい複合材は、砂時計形状の吸収体コア５０又はＩ型梁形状の吸収体コア５０というように、長方形ではない形状を有する。別の好ましい吸収体コア５０の実施形態は円形の端部をもつ長方形形状である。本質的に長方形の吸収体コア５０、即ち砂時計形状の方がより好ましく、それは、端部のところで四角に区切られて、使い捨てアンダーパンツ１２の背部においてより円滑な外観を与える一方で、より快適な身体外形へのフィット性を与えるからである。
吸収体コア５０は、アンダーパンツ１２の中心縦方向軸線Ａ−Ａに関して対称になるように配置され、アンダーパンツ１２の中央横軸Ｂ−Ｂに沿って前方に歪められる。吸収体コア５０の側縁５９は水性液体不透過性上面シート層４９の側縁９４から、吸収体コア５０の側縁６１は水性液体不透過性上面シート層４９の側縁９６から、それぞれ等距離にある。吸収体コア５０の前部端縁５５は水性液体不透過性上面シート層４９の前部端縁１０３から、吸収体コア５０の背部端縁５７は水性液体不透過性上面シート層４９の背部端縁１０５から、それぞれ等距離ではない。吸収体コア５０は、前部区域５４と、中央区域５６と、背部区域５８とに配置される。吸収体コア５０の前部端縁１０３は使い捨てアンダーパンツ１２の前部端縁１０３から、約１０インチ（２５４ｍｍ）から約１インチ（２５ｍｍ）のところにあり、好ましくは約９インチ（２２９ｍｍ）から約２インチ（５１ｍｍ）のところにあり、より好ましくは約８インチ（２０３ｍｍ）から約３インチ（７６ｍｍ）のところにある。１つの好ましい実施形態において、この距離は約３インチ（７６ｍｍ）である。吸収体コア５０の背部端縁１０５は使い捨てアンダーパンツ１２の背部端縁１０５から、約３インチ（７６ｍｍ）から約１３インチ（３３０ｍｍ）のところにあり、好ましくは約５インチ（１２７ｍｍ）から約１２インチ（３０５ｍｍ）のところにあり、より好ましくは約６インチ（１５２ｍｍ）から約１１インチ（２７９ｍｍ）のところにある。
【００６６】
ここで図１ａ、図１ｂ、図１ｃ、図２ａ、図２ｂ、図３、図１０、図１１、及び図１２を参照して、中央横軸方向に沿って前方に歪んだ吸収体コア５０を説明する。本発明を説明するには吸収体コア５０の「歪係数」の定義が必要である。「歪係数」は、背部区域５８における長さより前部区域５４における長さの方が長い吸収体コア５０と組み合わされたものである。吸収体コア５０は縦方向に対称に置かれず、使い捨てアンダーパンツ１２の前方に歪められ、この「歪係数」が本発明を定める。本発明の目的において、「対称に置かれない」は、吸収体コア５０が背部区域５８に比べて、前部区域５４の方が約２０ｍｍ又はそれ以上長いことを意味する。
歪係数は以下の段階を用いて算出される。
１．使い捨てアンダーパンツ１２の長さを同じ長さの３つの部分、即ち前部区域５４、中央区域５６、及び背部区域５８に分割する。
２．各区域において、図１０、図１１、及び図１２の線Ａ−Ａに沿った吸収体コア５０の縦方向即ちＭＤ方向の長さがどれくらいかを求める。
３．背部区域５８における吸収体コア５０の長さを、前部区域５４における吸収体コア５０の長さと中央区域５６における吸収体コア５０の長さの合計で割ることによって、歪係数を算出する。
【００６７】
図１ａ、図１ｂ、図１ｃ、図２ａ、図２ｂ、図３、図１０、図１１、及び図１２を参照すると、吸収性使い捨てアンダーパンツ１２は幼児から成人までの人々に適合させるために広い範囲の製品長さを有することから、吸収体コア５０が背部区域５８より前部区域５４の方に多く存在することに伴う歪係数は、吸収体コア５０の前方への歪みの量を、いかなる製品長さについても定める。歪係数は、吸収体コア５０の全長の関数であり、またそれが使い捨てアンダーパンツ１２にどのように置かれているかについての関数である。使い捨てアンダーパンツ１２の全長が、吸収体コア５０のどれくらいが前部区域５４、中央区域５６、及び背部区域５８にくるかに影響することから、歪係数は使い捨てアンダーパンツ１２の長さの関数でもある。使い捨てアンダーパンツ１２の製品形状及び製品寸法の或る範囲内での吸収体コア５０の置き方は、その特定の使い捨てアンダーパンツ１２が着用者の身体に適合させるためにどのように裁断されるかということと、使い捨てアンダーパンツ１２内の吸収体コア５０の置き方を制御する製造工程の能力に従う。本発明の目的のためには、歪係数は約０．１０より小さい値である。歪係数は０より大きく約０．１０までの範囲に亘り、好ましくは０より大きく約０．０９５までの範囲に亘り、より好ましくは０より大きく約０．０８５までの範囲に亘る。１つの態様において、歪係数は０より大きく約０．０７までの範囲に亘る。
【００６８】
ここで図１０、図１３ａ、及び図１４を参照すると、別の実施形態において、使い捨てアンダーパンツ１２は長さ８４５ｍｍであり、線９−９に沿った端部において幅７１５ｍｍであり、線８−８に沿った中央区域５６において最小幅１２０ｍｍであり、４３８ｍｍのＭＤ長さと、端部における１５３ｍｍのＣＤ幅と、脚カットアウト２９及び３１の中央における線８−８に沿った８９ｍｍの幅と、を有する吸収体コア５０を含む。吸収体コア５０は水性液体不透過性障壁４８上に配置される。吸収体コア５０はまた、高秤量ポケット領域１４１を有し、該ポケット領域は長さ２７９ｍｍ、線８−８に沿った幅８９ｍｍ、端部における幅１０２ｍｍを有する。
【００６９】
ここで図１３ａと図１４を参照すると、吸収体コア５０は、端部領域７００及び７０１において、ミシガン州ミッドランド所在のダウ・ケミカル・カンパニーから入手可能なＤＯＷ  ２０３５高吸収性材料１２９ｇｓｍ（グラム毎平方メートル）と、Ａｌｌｉａｎｃｅ  ＣＲ１６５４フラフ・パルプ繊維２１５ｇｓｍとの均質な混合物を含む。ポケット領域１４１において、高吸収性材料の秤量は２６１ｇｓｍであり、フラフ・パルプの秤量は４３５ｇｓｍである。使い捨てアンダーパンツ１２のカーデッド・ウェブ取り込み材料１１４は長さ３３０ｍｍ、幅７６ｍｍであり、秤量は８５ｇｓｍで、ヘキスト・セラニーズ社から入手可能な６デニールのポリエステル繊維４０重量％と日本のチッソ株式会社から入手可能な３デニールの鞘芯ポリエチレン／ポリプロピレン捲縮繊維６０重量％との混合物からなる。取り込み材料１１４は、上面シート層４９と吸収体コア５０の間に配置される。吸収体コア５０は、０．９％の塩化ナトリウム水溶液約５００グラムを保持する能力を有する。重要なことであるが、吸収体コア５０は、該吸収体コア５０の前部端縁５５が使い捨てアンダーパンツ１２の前部端縁１０３から１６３ｍｍ離れるようにして、使い捨てアンダーパンツ１２に設置される。更に、ポケット領域１４１の前部端縁１０３は、使い捨てアンダーパンツ１２の前部端縁１０３から２２２ｍｍ離れたところに設置される。最後に、長さ寸法２７９ｍｍ、幅寸法６４ｍｍのサージ材料取り込み材料８５ｇｓｍが、ポケット領域１４１と長さ寸法において同一の広がりをもち、かつ吸収体コア５０の内表面６５上の幅寸法において中心に来るように、設置される。吸収体コア５０は、０．９％の塩化ナトリウム水溶液約５００グラムを保持する能力を有する。吸収体コア５０の機械方向の長さの２７．１％の部分は使い捨てアンダーパンツ１２の前部区域５４に設置され、吸収体コア５０の長さの６４．２％は使い捨てアンダーパンツ１２の中央区域５６に設置され、吸収体コア５０の長さの８．７％は使い捨てアンダーパンツ１２の背部区域５８に設置される。吸収体コア５０の歪係数は０．０９５である。付加的に、ポケット領域１４１の長さの２１．５％は前部区域５４にあり、ポケット領域１４１の長さの７８．５％は中央区域５６にあり、ポケット領域１４１の長さの０．０％は背部区域５８にある。吸収体コア５０及び取り込み材料１１４の置き方は、図１１の中央長軸Ａ‐Ａに沿った使い捨てアンダーパンツ１２のＣＤ寸法において対称である。着用者の身体上に置かれたときには、この好ましい構成の結果により、吸収体コア５０は、より多くの使用が見込まれる着用者の前方側においてより大きな割合を占める。
【００７０】
吸収パッド即ち吸収体コアを使い捨てアンダーパンツのＭＤ長さに関して対称に設置することにより、そうした使い捨てアンダーパンツの前方部分と後方部分に吸収パッド即ち吸収体コアが均等に設置されることに比べて、前方に歪められた構成は、吸収体コア５０の利用度を高くし、使い捨てアンダーパンツ１２の背部区域５８における見苦しく不快な嵩を防止する。
ここで図１１、図１３ａ、及び図１４を参照すると、更に別の実施形態において、使い捨てアンダーパンツ１２は長さ８４５ｍｍであり、線９−９に沿った端部において幅７１５ｍｍであり、線８−８に沿った中央区域５６において最小幅１２０ｍｍである。吸収体コア５０は４８９ｍｍのＭＤ長さと、端部における１５３ｍｍのＣＤ幅と、脚カットアウト２９及び３１の中央における線８−８に沿った８９ｍｍの幅と、を有する。吸収体コア５０は水性液体不透過性障壁４８上に設置される。吸収体コア５０は高秤量ポケット領域１４３を有し、該ポケット領域は吸収体コア５０の全長である長さ４８９ｍｍ、線８−８に沿った幅８９ｍｍ、端部における幅１０２ｍｍを有する。
【００７１】
ここで図１３ｂ及び図１４を参照すると、吸収体コア５０は、側端部領域７２１及び７２２において、ミシガン州ミッドランド所在のダウ・ケミカル・カンパニーから入手可能なＤＯＷ  ２０３５高吸収性材料１１４ｇｓｍ（１平方メートル当たりのグラム数）と、Ａｌｌｉａｎｃｅ  ＣＲ１６５４フラフ・パルプ繊維２３２ｇｓｍとの均質な混合物を含む。ポケット領域１４３において、高吸収性材料の秤量は２８２ｇｓｍであり、フラフ・パルプの秤量は５９１ｇｓｍである。吸収体コア５０は、０．９％の塩化ナトリウム水溶液約８００グラムを保持する能力を有する。重要なことであるが、吸収体コア５０は、該吸収体コア５０の前部端縁５５が使い捨てアンダーパンツ１２の前部端縁１０３から１１２ｍｍ離れるようにして、使い捨てアンダーパンツ１２に設置される。最後に、２７９ｍｍの長さ寸法と６４ｍｍの幅寸法をもつ８５ｇｓｍのサージ材料取り込み材料が、使い捨てアンダーパンツ１２の前部端縁１０３から１８７ｍｍ離れたところに設置され、また吸収体コア５０の内表面６５上の中心縦方向軸線Ａ−Ａに沿った幅寸法の中心に設置される。
【００７２】
吸収体コア５０の機械方向の長さの３４．７％の部分は使い捨てアンダーパンツ１２の前部区域５４に設置される。吸収体コア５０の長さの５７．６％の部分は使い捨てアンダーパンツ１２の中央区域５６にあり、吸収体コア５０の長さの７．７％は使い捨てアンダーパンツ１２の背部区域５８にある。吸収体コア５０の歪係数は０．０８２である。吸収体コア５０及び取り込み材料１１４の置き方は、中央長軸Ａ−Ａに沿った使い捨てアンダーパンツ１２のＣＤ寸法において対称である。着用者の身体上に置かれたときには、この好ましい構成の結果により、吸収体コア５０は、より多くの使用が見込まれる着用者の前方側においてより大きな割合を占める。
吸収パッド即ち吸収体コアを使い捨てアンダーパンツのＭＤ長さに関して対称に設置することにより、そうした使い捨てアンダーパンツの前方部分と後方部分に吸収パッド即ち吸収体コアが均等に設置されることに比べて、前方に歪められた構成は、吸収体コア５０の利用度を高くし、使い捨てアンダーパンツ１２の背部区域５８における見苦しく不快な嵩を防止する。
【００７３】
（実施例）
２個の使い捨て吸収性アンダーパンツ製品が漏れ防護性能について試験された。使い捨てアンダーパンツは７２名の失禁症パネリスト（女性４４名、男性２８名）に送られ、パネリストは通常の使用条件下でこれらを使用した。予め質問が書き込まれた日記シートが全ての個々の製品について与えられ、パネリストは漏れに関係する情報をそれに記録した。使用された製品は全て返却され、収容した尿量を判定するため計量された。
組み合わされたデータから、ロジスティック回帰分析のステップワイズ法を用いて、漏れデータの最適なモデルが判断された。ロジスティック回帰分析の目標は、漏れと、コード、尿のグラム数、性別、活動性、及びパネリストの腰部寸法の説明変数との間の関連性を説明することである。
【００７４】
試験された使い捨てアンダーパンツ製品は、使い捨てアンダーパンツ試作品、及びジョージア州マリエッタ所在のインブランド・コーポレーションが製造したシュアケア（登録商標）スリップ−オン・アンダーガーメントであった。スリップ−オン製品は製品シャーシに吸収体コアを対称に設置した従来型のパンツである一方、使い捨てアンダーパンツ試作品は、高度に前方に歪められた吸収体コアを有し、シュアケア製品より収容力が低かった。
シュアケア製品は長さ６６０ｍｍであり、本質的に長方形の吸収体コアを有し、該吸収体コアは長さ５５０ｍｍ、幅１２７ｍｍであった。吸収体コアは９０ｇｓｍの高吸収性材料と、１０６２ｇｓｍのフラフ・パルプを有していた。吸収体コアは、この衣類の前部端縁及び背部端縁から５５ｍｍ離して設置された。
【００７５】
使い捨てアンダーパンツ試作品は、図１０を参照すると、７８１ｍｍの製品長さを有していた。吸収体コアは長さ４００ｍｍであり、端部の幅は１６５ｍｍ、中央の幅は９０ｍｍであった。吸収体コアは、使い捨てアンダーパンツ試作品の前部端縁から１６０ｍｍ離し、且つ使い捨てアンダーパンツ試作品の背部端縁から２２１ｍｍ離して設置された。吸収体コアは１１０ｇｓｍの高吸収性材料と、１６５ｇｓｍのフラフ繊維を含んでいた。
使い捨てアンダーパンツ試作品は綿撒糸を有し、該綿撒糸は長さ２９２ｍｍ、幅９０ｍｍであり、使い捨てアンダーパンツ試作品の前部端縁から１８５ｍｍ離し、且つ使い捨てアンダーパンツ試作品の背部端縁から３０４ｍｍ離して、吸収体コアと液体障壁の間に設置された。綿撒糸は１８０ｇｓｍの高吸収性材料と、２７０ｇｓｍのフラフ繊維を含んでいた。吸収体コアと綿撒糸の密度は約０．１６０ｇｍ／ｃｃであった。
【００７６】
使い捨てアンダーパンツ試作品は、幅６４ｍｍ及び長さ２０３ｍｍの、１００ｇｓｍの取り込み材料を有するものであった。取り込み材料の前部端縁は、使い捨てアンダーパンツ試作品の前部端縁から２１６ｍｍで、使い捨てアンダーパンツ試作品の背部端縁から３６２ｍｍであった。
使い捨てアンダーパンツ試作品の前部区域、中央区域、及び背部区域における吸収体コアと綿撒糸の比率を表Ｉに示す。表ＩＩは、使い捨てアンダーパンツ試作品の吸収体コア、綿撒糸、及び取り込み材料が使い捨てアンダーパンツ試作品の前部に向かって歪められ、前部における吸収体コアの比率が高いことを示し、一方シュアケア製品は、その吸収体コアが対称に配置されるものであった。
【００７７】
2004528879.tif 000003
【００７８】
表Ｉのシュアケア製品は、吸収体コアの置き方が対称であったので、歪係数を持たなかった。一方、使い捨てアンダーパンツ試作品の吸収体コアの歪係数は０．１１１であり、該吸収体コアが前方に向かって高度に歪められていたことを示す。
【００７９】
２０％（ＬＤ２０）及び５０％（ＬＤ５０）の製品漏れにおける尿荷重のグラム数で表される表ＩＩの漏れ情報は、２０％及び５０％の製品漏れを起こすにはより高い尿荷重を必要とすることから、前方に歪められた吸収体コアを有する使い捨てアンダーパンツ試作品が好ましい漏れ防護を与えることを明らかに示している。
2004528879.tif 000004
【００８０】
使い捨てアンダーパンツ１２の詳細な実施形態が図に示されるが、いかなる使い捨てアンダーパンツ製品も、開示され特許請求された本発明の物品及び方法によって指定される歪係数をもつように配置される吸収体コア５０を組み込むことができるように考慮されていると理解される。
吸収体コア５０の厚さは約４５ｍｍより少ないことが好ましい。吸収体コア５０の厚さは約４ｍｍから約４０ｍｍまでの範囲に亘る。好ましくは、厚さは約５ｍｍから約３０ｍｍまでの範囲に亘り、より好ましい厚さの範囲は約６ｍｍから約２０ｍｍである。厚さは、弾性体を除去した、縮められていない平滑な４インチ（１０２ｍｍ）平方のサンプルについて、ミツトヨ・デジマティック・インジケータを使用し、０．０５ｐｓｉの圧力を生じさせるための直径３インチ（７６ｍｍ）のアクリル・プラテン及び組立体を用いて測定される。
【００８１】
吸収性障壁複合材４６の形成において、液体障壁４８は、該液体障壁４８に着用条件下で通常直面する浸透に対する抵抗性を持たせることによって、吸収性障壁複合材４６を透過する液体の移動を遅滞させねばならない。吸収性障壁複合材４６は、吸収体コア５０をコーティングすることにより、又は別個の液体不透過性材料を吸収体コア５０に取り付けることにより、液体不透過性にされる。
液体障壁４８は、着用者と反対向きの外表面９９と、着用者の方を向いた内表面９８とを有する。液体障壁４８は、ポリエチレン、ポリプロピレン、ポリ塩化ビニル、又は類似の材料などのプラスチックフィルムでできた液体不透過性の薄いウェブ又はシートを含む。１つの実施形態において、液体障壁４８は、低い液体透過性をもつように構築され配置された不織繊維質ウェブを含む。１つの実施形態において、液体障壁４８は熱結合プラスチックフィルムと不織ウェブの複合材といった層状の材料即ちラミネート材料を含む。１つの実施形態において、液体障壁４８は、通常の着用条件下では水蒸気に対し透過性である液体不透過性フィルム又は発泡体を含む。液体障壁４８は好ましくは、ＡＳＴＭ  Ｅ９６−９２による測定で少なくとも約１０００グラム／ｍ2／１日の水蒸気透過率を有する。好適なフィルムの１つの実例は、三井が製造し、Ｃｏｎｓｏｌｉｄａｔｅｄ  Ｔｈｅｒｍｏｐｌａｓｔｉｃｓ（ＣＴ）からＥＳＰＯＩＲ（登録商標）Ｎ−ＴＡＦ−ＣＴの商標名で販売されている３９．４グラム毎平方メートルの微孔性フィルムである。
【００８２】
液体障壁４８は、流体不透過性となるように形成されるか又は処理された材料を含む。１つの態様において、液体障壁４８は、流体透過性材料及び、吸収性障壁複合材４６又は吸収体コア５０と関連付けられた流体不透過層といった、吸収性障壁複合材４６又は吸収体コア５０から遠ざかる流体の移動を妨げるように設けられる他の手段を含む。液体障壁４８は材料の単一層を含むか、或いは、２つ又はそれ以上の別個の材料の層のラミネートを含む。好ましい材料は、単一のスパンボンド層、スパンボンド材料とメルトブロー材料の２層、又はスパンボンド材料−メルトブロー材料−スパンボンド材料の３層を含む。
【００８３】
液体障壁４８のための材料は、熱可塑性フィルム、織布、不織布、又はフィルム、ラミネート、及び／又は不織布のラミネート、或いは発泡体を含む。液体障壁４８は、ポリエチレン、ポリプロピレン、ポリ塩化ビニル、又は類似の材料などのプラスチックフィルムでできた実質的に流体不透過性の薄いウェブ又はシートを含む。液体障壁４８のための１つの材料は、体系的マット・エンボス加工パターンを有する０．０２８ミリメートル（ｍｍ）厚さのポリエチレンフィルムであり、両面にコロナ処理を施したものである。
液体障壁４８は、アンダーパンツ１２の吸収性障壁複合材４６に放出が起こったときに、液体が外側の衣類へ透過することを防止する。液体障壁４８は少なくとも股部１８における外側カバー１３の内側に配置され、ポリエチレンといった液体不透過性フィルムを含む。外側カバー１３なしにフィルムのみを使用することは暑く不快であり、長期にわたる着用に対する十分な耐久性に欠ける。吸収体コア５０は液体障壁４８と関連付けられ、該液体障壁は弾性特徴を含んでもよく、含まなくともよい。
【００８４】
吸収性障壁複合材４６は、実質的に流体不透過性の液体障壁４８と、外側カバー１３に重ね合わされた流体（又は液体）透過性の上面シート層４９を含む。（図１ａ、図８、及び図９参照。）吸収体コア５０は液体障壁４８と上面シート層４９の間に挟持される。（図１ａ、図８、及び図９参照。）液体障壁４８と上面シート層４９は吸収体コア５０より長く、幅広い。上面シート層４９は着用者の方を向いて配設され、身体対向面１６と呼ばれる。逆に、液体障壁４８は外側カバー１３及び着用者の外側の衣類の方を向いて配置され、衣類対向面２３と呼ばれる。
上面シート層４９は着用者と反対向きの外表面１０９と、着用者の方を向いた内表面１０８を有する。上面シート層４９は、着用者の皮膚に接触するための不織布又は他の柔軟な材料を含む。上面シート層４９は、柔軟で可撓性の多孔性水性液体透過性材料から形成され、そのことにより、水性液体排出物と、恐らくは半固形排出物とが吸収体コア５０へと通過し、吸収性障壁複合材４６又は吸収体コア５０によって吸収される。好適な上面シート層４９は、不織ウェブ、又はポリプロピレン、ポリエチレン、ポリエステルなどの合成ポリマーフィラメント又は合成ポリマー繊維で構成されたスパンボンド・ウェブ、メルトブロー・ウェブ又はボンデッドカーデッドウェブ、或いは有孔フィルム、網状発泡体、拡張されたプラスチック・ウェブ材料、スクリム材料、又は木材、レーヨン、或いは綿といったウェブ又は天然ポリマーフィラメント又は天然ポリマー繊維を含む。上面シート層４９は、材料の通気性によって空気、汗、又は発汗の通過を可能にする寸法の孔を有する。
【００８５】
上面シート層４９は不織スパンボンドである。そうしたスパンボンド材料はジョージア州ロズウェルに位置するキンバリークラーク・コーポレーションから入手可能である。上面シート層４９は、約０．３ｏｓｙから約２．０ｏｓｙまでの坪量を有し、或いは約０．５ｏｓｙの坪量を有する。アンダーパンツの上面シート層４９は、印刷されるか、着色されるか、エンボス装飾されるか、又は個別のスリット或いは穴によって穴開けされる。
加えて、上面シート層４９は、流体の移動を助けるために界面活性剤を用いて処理される。１つの実施形態において、上面シート層４９は、約２０グラム毎平方メートル（ｇｓｍ）の秤量を有する、ポリエチレン５０％とポリプロピレン５０％の鞘芯２成分フィラメントの不織スパンボンド・ウェブを含む。布地は米国コネチカット州ダンベリー所在のユニオン・カーバイド・ケミカル・アンド・プラスチック・カンパニー・インクからＴＲＩＴＯＮ  Ｘ−１０２の商品名で入手可能な界面活性剤を用いて表面処理される。
【００８６】
股部弾性体３７及び３９の間の股部１８の幅は、吸収体コア５０が股部弾性体３７及び２９を妨げて最終的に脚部弾性体３２、３３、３４、及び３５を妨げることなしに、股部１８の側縁１７及び１９の間に吸収体コア５０を収容するのに十分なだけ広い。股部１８の幅は、股部弾性体３７及び３９が股部の側面を収縮させ引っ張り上げ、上面シート層４９及び液体障壁４８の壁にバケットを形成して、製品から身体排出物が漏れ出さないようにし、より多くの個人の寸法に適応可能にする。１つの実施形態において、股部弾性体３７及び３９は吸収体コア５０の少なくとも一部によって覆われる。
【００８７】
股部１８の幅は、嵩張って見えるか或いは不快に見えるほど広くはないが、好適な幅は、股部弾性体３７及び３９の間で少なくとも約２．５インチ（６４ｍｍ）である。幅は、約２．５インチ（６４ｍｍ）から約６．０インチ（１５２ｍｍ）までの範囲に亘る。股部弾性体３７及び３９の間における股部１８の幅は、約３．５インチ（８９ｍｍ）から約５インチ（１２７ｍｍ）の範囲に亘る。好ましくは、定義された幅は約４．２５インチ（１０８ｍｍ）である。
股部１８は吸収体コア５０の幅より少なくとも約０．２５インチ（６ｍｍ）広い。股部１８は吸収体コア５０より約０．２５インチ（６ｍｍ）から約４インチ（１０２ｍｍ）幅広い。股部１８は吸収体コア５０より約０．５インチ（１３ｍｍ）から約３インチ（７６ｍｍ）広く、好ましくは約０．５インチ（１３ｍｍ）から約２インチ（５１ｍｍ）広い。好ましくは、股部弾性体３７及び３９の各々は、幅が約０．２インチ（５ｍｍ）から約０．８インチ（２０ｍｍ）である。より好ましくは、股部弾性体３７及び３９の各々の幅は、約０．２インチ（５ｍｍ）から約０．４インチ（１０ｍｍ）である。股部１８の全体の幅は、股部弾性体３７及び３９の間の幅と、股部弾性体３７及び３９の幅と、股部弾性体３７及び３９の外側から脚開口部２８及び３０の縁部までのフリル材料とを含む。本発明の１つの実施形態において、吸収体コア５０は股部１８より約０インチ（０ｍｍ）から約１インチ（２５ｍｍ）広い。
【００８８】
好ましくは、脚弾性体３２、３３、３４、及び３５と股部弾性体３７及び３９の外側にあって脚開口部２８及び３０の縁部にあるひだ材料は、約０．５インチ（１３ｍｍ）より小さい。より好ましくは、ひだ材料は約０．１２５インチ（３ｍｍ）より小さい。脚開口部２８及び３０の縁部からはひだ材料を除去することが望ましい。
吸収性障壁複合材４６の幅は、股部１８の幅に関係した寸法にされる。複合材４６の幅は、少なくとも股部１８の、股部弾性体３７及び３９の間の幅である。この幅は股部１８の幅と等しいことが好ましい。
【００８９】
吸収性障壁複合材４６の全体の長さは、吸収体コア５０の端部を越えて延びて、寝ているときや座っているときにこれらの位置における液体の通過防止を助けるのに妥当な長さである。この全体の長さは、少なくとも約１２インチ（３０５ｍｍ）であり、従って、アンダーパンツ１２の縦方向中心線Ａ−Ａに沿って股部１８を越えて延びる。或いは、この長さは、約１２インチ（３０５ｍｍ）から約３０インチ（７６２ｍｍ）までの範囲にあり、好ましくは約１５インチ（３８１ｍｍ）から約２３インチ（５８４ｍｍ）までの範囲に亘る。長さの一般的な範囲は約１７インチ（４３２ｍｍ）から約２１インチ（５３３ｍｍ）である。最適には、複合材４６の長さは約１９インチ（４８３ｍｍ）である。
股部１８を越えて延びる吸収性障壁複合材４６の幅は、少なくとも股部１８の幅と同じである。吸収性障壁複合材４６の幅は股部１８を越えた部分では狭めることができるが、それは漏れの閉じ込め性を危うくすることがある。吸収性障壁複合材４６の幅は股部１８を越えた部分で広くすることができる。股部１８を越えて延びる吸収性障壁複合材４６の幅は、約２．５インチ（６４ｍｍ）から約１２インチ（３０５ｍｍ）であり、好ましくは約４．０インチ（１０２ｍｍ）から約１０インチ（２５４ｍｍ）である。好ましい範囲は約７インチ（１７８ｍｍ）から約９インチ（２２９ｍｍ）である。好ましい幅は約８インチ（２０３ｍｍ）である。
【００９０】
本発明は異なる形状の吸収性障壁複合材４６を含む。１つの好ましい複合材は、砂時計形状又はＩ型梁形状の吸収性障壁複合材４６のような長方形ではない形状を有し、該複合材は完成したアンダーパンツ１２の座面において、広い被覆状態を提供する。別の好ましい吸収性障壁複合材４６は円形の端部をもつ長方形形状である。本質的には長方形の形状、すなわち砂時計形状の吸収性障壁複合材４６がより好ましく、それは端部のところで四角に区切られて、アンダーパンツ１２の背部においてより円滑な外観を提供する一方で、より快適な身体外形へのフィット性を与えるからである。
【００９１】
図１ａ−図１ｃ、図２ａ−図２ｂ、図３、及び図６を参照すると、ウエスト部弾性体２２は身体側ライナ８０で覆われた状態で図示されている。身体側ライナ８０は、着用者の皮膚に接触するための不織布又は他の軟質材料を含む。身体側ライナ８０は以下でより詳細に説明される。他の実施形態において、ウエスト部弾性体２２の少なくとも一部が吸収性障壁複合材４６によって被覆される。図３及び図４を参照すると、脚弾性体３２、３３、３４、及び３５は身体側ライナ８０に覆われた状態で図示されている。図１ｂにおいて、股部弾性体３７及び３９は上面シート層４９と液体障壁４８の間に挟持された状態で図示されている。代替的な実施形態において、股部弾性体３７及び３９は外側カバー１３と液体障壁４８の間に挟持することができる。吸収性障壁複合材４６の寸法及び形状に従い、脚弾性体３２、３３、３４、及び３５の少なくとも一部が吸収性障壁複合材４６によって覆われる。
【００９２】
図５及び図７を参照すると、ウエスト弾性体２１は、別の実施形態において、ウエストライナ２６で覆われたものとして図示されている。ウエスト弾性体２１はまた、身体側ライナ８０で覆うこともできる。図５及び図７を参照すると、脚弾性体３２及び３４は脚ライナ３８で覆われた状態で図示されている。吸収性障壁複合材４６の寸法及び形状に従い、脚弾性体３２、３３、３４、及び３５の少なくとも一部が吸収性障壁複合材４６によって覆われる。図１ａにおいて、股部弾性体３７及び３９は吸収性障壁複合材４６で覆われた状態で図示され、該股部弾性体３７及び３９は外側カバー１３と吸収性障壁複合材４６の間に挟持される。図７を参照すると、ウエスト部弾性体２２は身体側ライナ８０で覆われた状態で図示されている。身体側ライナ８０は、着用者の皮膚に接触するための不織布又は他の軟質材料を含む。１つの実施形態において、ウエスト部弾性体２２の少なくとも一部が吸収性障壁複合材４６によって覆われる。
【００９３】
身体側ライナ８０は応従性があり、着用者に軟質な感触を与える。身体側ライナ８０は軟質で可撓性のある多孔質のシートであり、液体透過性であって液体がその厚みに容易に浸透することを許容するか、又は液体不透過性であってその厚みへの液体の浸透に対し抵抗力を持つ。身体側ライナ８０は、例えば木材又は綿繊維などの天然繊維、又は例えばポリエステル繊維又はポリプロピレン繊維などの合成繊維といった材料から製造されるか、或いは天然繊維と合成繊維の組み合わせ又は網状発泡体及び穿孔されたプラスチックフィルムから製造される。
身体側ライナ８０は、ポリプロピレン、ポリエチレン、ポリエステルなどの合成ポリマーフィラメントで構成されたスパンボンド・ウェブ、メルトブロー・ウェブ、又はボンデッドカーデッドウェブといった織成又は不織ウェブ又はシートであるか、或いはレーヨン又は綿といった天然ポリマーフィラメントのウェブである。ボンデッドカーデッドウェブは熱結合されるか、又はバインダを噴霧される。身体側ライナ８０は不織スパンボンドである。身体側ライナ８０はスパンボンド・ポリプロピレンの不織布に針金織り結合パターンを施したものである。スパンボンド材料は、ジョージア州ロズウェル所在のキンバリークラーク・コーポレーションから入手可能である。身体側ライナ８０は、約０．３オンス毎平方ヤード（ｏｓｙ）から約２．０ｏｓｙまでの坪量を有し、代替的に約０．６ｏｓｙの坪量を有する。アンダーパンツの身体側ライナ８０には、印刷加工、着色加工、又は装飾的なエンボス加工を行うことができる。身体側ライナ８０は、材料の通気性により空気、汗、又は発汗を直ちに通過可能にする寸法の小孔を有する。身体側ライナ８０は選択的にエンボス加工されるか又は個別のスリット或いは穴によって穴開けされる。
【００９４】
脚開口部２８及び３０の位置関係と形状は、着用者の股領域及び鼠径部領域における締め付けを避けるために、また臀部の妥当な被覆状態を得るために、またアンダーパンツ１２が前方に傾くこと即ち前ウエスト縁部が背ウエスト縁部に対して下に下がる形で傾くことを防止するために、重要である。図１ａは脚部のフィット性と臀部の被覆状態に関して最も好ましい設計を図示する。脚開口部２８及び３０の前部縁７２及び７４を横切る曲線の形状は、アンダーパンツ１２のフィット性に影響を及ぼす。曲線が深すぎるとアンダーパンツ１２は下方及び背方にずれ、前部ウエストを短くすることになり、背部の長さを増大させ、アンダーパンツ１２の座面のだぶつきを増大させることになる。このずれにより、アンダーパンツ１２は、着用されたときに着用者の胴部周りが不均等になることからわかるように、傾いて見えることになり、その結果、脚開口部２８及び３０の前部縁７２及び７４に沿って締め付けがもたらされ、フィット性の快適さが減少する。
【００９５】
脚開口部２８及び３０の構造は、アンダーパンツ１２が正しい機能を果たすために重要である。図１ａのようにアンダーパンツ１２を平坦に広げると、脚開口部２８の背部分８２の背部縁７６と、脚開口部３０の背部分８４の背部縁７８の大部分即ち少なくとも５１％は、好ましくは実質的に直線を形成する。より好ましくは、脚開口部２８の背部分８２の背部縁７６と、脚開口部３０の背部分８４の背部縁７８とは、背部分８２及び８４の全体の長さの少なくとも約７０％の長さθだけ実質的に直線状である。脚開口部２８及び３０の背部分８２及び８４の背部縁７６及び７８の直線区域θは、アンダーパンツ１２の縦方向中心線Ａ−Ａと鋭角をなす。好ましくは、線θはアンダーパンツ１２の縦方向中心線Ａ−Ａと角度αをなし、この角度は約４５度から約８９度の間であり、より好ましくは約５５度から約８７度の間であり、最も好ましくは約６１度から約７６度の間である。浅い曲線即ち少なくとも６インチの半径を有する曲線が、脚開口部２８の背部分８２の背部縁７６と、脚開口部３０の背部分８４の背部縁７８を定める場合は、この曲線に沿って２つの点が選択され、一方の点は該曲線の長さの少なくとも約２５％のところに位置決めされ、もう一方の点は該曲線の長さの少なくとも約７５％のところに位置決めされる。この２点の間に引かれた線を使って、アンダーパンツ１２の中心線Ａ−Ａに対して形成される角度αが判定される。開示されたように縦方向中心線と鋭角をなす背部縁７６及び７８は、使用中の吸収体コア５０の盛り上がり及びずれを低減し、身体に対するより良好な外形合わせを保証し、より心地よいフィット性を保証する。そうした角度はアンダーパンツ１２が臀部の下に入り込む助けとなり、フィット性を向上し、漏れを低減する。脚弾性体３４及び３５は背部縁７８及び７６にほぼ従うことから、背部縁７８及び７６への言及は脚弾性体３４及び３５の説明として読むことができる。
【００９６】
脚開口部２８及び３０の前部分８６及び８８の前部縁７２及び７４の大部分即ち少なくとも５１％は、好ましくは直線を形成する長さβを含む。より好ましくは、脚開口部２８及び３０の前部縁７２及び７４の長さ（β）は、脚開口部２８及び３０の前部分８６及び８８の前部縁７４の長さ（β）は、脚開口部２８の前部分８６及び脚開口部３０の前部分８８の長さの少なくとも７０％に亘って直線状である。脚開口部２８及び３０の前部分の前部縁７２及び７４の直線区域βはアンダーパンツ１２の中心線と角度Ｘをなし、この角度は約６２度から約９９度の間であり、より好ましくは約７４度から約９１度であり、最も好ましくは約８５度である。開示されたように中心線とある角度を形成する前部縁７２及び７４は、使用中の吸収体コア５０の盛り上がり及びずれを低減し、身体に対するより良好な外形合わせを保証し、より心地よいフィット性を保証する。浅い曲線即ち少なくとも６インチの半径を有する曲線が、脚開口部２８及び３０の前部分８６及び８８の前部縁７２及び７４を定める場合は、この曲線に沿って２つの点が選択され、一方の点は該曲線の長さの少なくとも約２５％のところに位置決めされ、もう一方の点は該曲線の長さの少なくとも約７５％のところに位置決めされる。この２点の間に引かれた線を使って、アンダーパンツ１２の中心線Ａ−Ａに対して形成される角度Ｘが判定される。９０度をなす前部縁７２及び７４も使用できるが、９０度より少なくとも僅かに大きいか又は僅かに小さい角度は、運動中の心地よいフィット性を有するアンダーパンツ１２を提供する。脚弾性体３２及び３３は前部縁７２及び７４にほぼ従うことから、前部縁７２及び７４への言及は脚弾性体３２及び３３の説明として読むことができる。
【００９７】
股部１８における曲線の形状は重要である。股部１８の側縁１７及び１９の大部分は、好ましくは弓状の曲線を形成する長さΣを含む。曲線がとりわけ股部弾性体３７及び３９の端部において浅すぎる即ち直線状である場合、アンダーパンツ１２は着用者の脚の外形に添わないので、内側鼠径部領域において締め付けが経験され、アンダーパンツ１２のフィット性に間隙が経験され、漏れがもたらされる。浅い曲線を有する好ましい狭い股部幅はまた、臀部の被覆状態を減少させる。そうした減少を相殺するために、背部分８２の背部脚縁部７６及び背部分８４の背部脚縁部７８を下方に調整し、角度αを増大させることが好ましい。股部１８の側縁１７及び１９と、脚開口部２８及び３０の背部分８２及び８４との間の曲線は、アンダーパンツ１２の中心線Ｂ−Ｂの少し前から始まるのがよく、図１ａを参照されたい。これにより、背部脚弾性体３４及び３５は臀部の低い方の縁より下に配設され、アンダーパンツ１２が歩行時にずり上がるのを防止する。脚開口部２８及び３０の曲線状の股部Σは、全体がアンダーパンツ１２の中心線Ｂ−Ｂの前方にある。股部弾性体３７及び３９は縁部１７及び１９にほぼ従うことから、縁部１７及び１９への言及は脚弾性体３７及び３９の説明として読むことができる。
脚弾性体３２、３３、３４、及び３５は、股部１８の外側で吸収体コア５０の縁部にほぼ従い、脚弾性体３２、３３、３４、及び３５が吸収体コア５０から遠ざけられる一方、吸収体コア５０は脚弾性体３２、３３、３４、及び３５の機能をあまり妨害せず、脚開口部２８及び３０の周りにより良好なガスケットを与える。吸収体コア５０は身体排出物を吸収するにつれて膨潤するが、脚弾性体３２、３３、３４、及び３５は着用者の身体と接触を保ち、身体に適合するように配設される。
【００９８】
好ましい実施形態においては、またウエスト弾性体２１を含む実施形態においては、ウエスト部弾性体２２及び脚弾性体３２、３３、３４及び３５は、伸長された状態でアンダーパンツ１２に超音波結合、熱／圧力結合又は接着剤結合によって取り付けられ、外側カバー１３と身体側ライナ８０の間に挟持される。股部弾性体３７及び３９は、液体障壁４８と、吸収性障壁複合材４６の上面シート層４９との間に挟持される。股部弾性体３７及び３９は伸長された状態で、超音波結合、熱／圧力結合又は接着剤結合により取り付けられる。弾性体のための材料は、弾性ストランド、ヤーン・ラバー、フラット・ラバー、弾性テープ、フィルム型ラバー、ポリウレタン及びエラストマー材、テープ状エラストマー材、又は発泡ポリウレタン或いは成形弾性体スクリム若しくは成形非弾性体スクリムを含む。好適な材料は、デラウェア州ウィルミントンに位置するデュポン・カンパニーからライクラ（登録商標）の名で販売されている。アンダーパンツ１２と一体化される前の各弾性体の構成は、単一部品、多部品、又は複合材である。
【００９９】
代替的な実施形態において、またウエスト弾性体２１を含む実施形態において、ウエスト部弾性体２２、脚弾性体３２、３３、３４、及び３５、股部弾性体３７及び３９は、伸長された状態でアンダーパンツ１２に超音波結合、熱／圧力結合又は接着剤結合によって取り付けられ、外側カバー１３と身体側ライナ８０の間に挟持される。弾性体のための材料は、弾性ストランド、ヤーン・ラバー、フラット・ラバー、弾性テープ、フィルム型ラバー、ポリウレタン及びエラストマー材、テープ状エラストマー材、又は発泡ポリウレタン或いは成形弾性体スクリム若しくは成形非弾性体スクリムを含む。好適な材料は、デラウェア州ウィルミントンに位置するデュポン・カンパニーからライクラ（登録商標）の名で販売されている。アンダーパンツ１２と一体化される前の各弾性体の構成は、単一部品、多部品、又は複合材である。
【０１００】
前身頃部１４と後身頃部１５のウエスト部弾性体２２を有する部分は、（図１ａのＡ−Ａと直交する）幅が、約１インチ（２５ｍｍ）から約１０インチ（２５４ｍｍ）である。好ましくは、前身頃部１４と後身頃部１５のウエスト部弾性体２２を有する部分は、幅約３インチ（７６ｍｍ）から約８インチ（２０３ｍｍ）である。好ましくは、幅は約６インチ（１５２ｍｍ）から約７．５インチ（１９１ｍｍ）の範囲に亘る。１つの実施形態において、ウエスト部弾性体２２の幅は、前身頃部１４と後身頃部１５の間で様々に変わる。前身頃部１４と後身頃部１５の一方が、より狭いウエスト部弾性体２２を有する場合は、幅は約１インチ（２５ｍｍ）から約８インチ（２０３ｍｍ）の範囲に亘り、好ましくは約３インチ（７６ｍｍ）から約６インチ（１５２ｍｍ）の範囲に亘り、より好ましくは約４インチ（１０２ｍｍ）から約５．５インチ（１４０ｍｍ）の範囲に亘る。ウエスト部弾性体２２は約１００％から約４００％の伸びをもって付与され、好ましくは約１５０％から約３００％の伸びをもって付与され、より好ましくは約２００％から約２７５％の伸びをもって付与される。アンダーパンツ１２は、前身頃部１４におけるウエスト部弾性体２２の張力が、後身頃部１５におけるウエスト部弾性体２２の張力と比較して異なる値を持つように構成される。
【０１０１】
ウエスト部弾性体２２は、糸、ストランド、リボン、バンド、フィルム、弾性不織布、又は複合材を含む。糸、ストランド、リボン、又はバンドは多数であり、複合材として付与される。ウエスト部弾性体２２を構成する弾性材料の部品の数は、約１本から約１００本までの範囲に亘り、好ましくは約１０本から約４０本までの範囲に亘り、より好ましくは約１５本から約３５本までの範囲に亘る。ウエスト部弾性体２２が糸であるときには、１５本から４０本の糸がウエスト部弾性体２２として用いられることが好ましく、該糸は約０．０６２５インチ（１．６ｍｍ）から約２インチ（５１ｍｍ）離間され、より好ましくは約０．０６２５インチ（１．６ｍｍ）から約０．５インチ（１３ｍｍ）離間され、最も好ましくは約０．２５インチ（６ｍｍ）離間される。アンダーパンツ１２の外観は、ウエスト部弾性体２２において糸などの弾性材料を近接させ均等に間隔をおいて配置することで増強されるが、弾性材料の部品間の間隔は様々に変えられる。前ウエスト縁部４４及び背ウエスト縁部４５におけるそうした変動が、ウエストバンドの外観を与える。
【０１０２】
好ましい実施形態において、弾性糸はエラストマー材料から製造される。１つの材料は、デラウェア州ウィルミントンに位置するデュポン社から入手可能なライクラ（登録商標）糸などのスパンデックスである。ウエスト部弾性体２２は、約１５本から約３５本の糸からなるウエスト部弾性体２２として、約１００から約１２００デシテックス（ｇ／１００００ｍ）を有する糸を含み、好ましくは約４７０から約９４０デシテックスを有する糸を含み、より好ましくは約６２０から約７４０デシテックスを有する糸を含む。ウエスト部弾性体２２を外側カバー１３と身体側ライナ８０に結合するために、メルトブローパターン又はスワールパターンで適用される接着剤７１が用いられる。接着剤７１はウエスト部弾性体２２のみに塗布されることが好ましい。好適な接着剤は、例えばウィスコンシン州ミルウォーキーに位置するＡｔｏ  Ｆｉｎｄｌｅｙ  Ａｄｈｅｓｉｖｅ社から入手可能なＦｉｎｄｌｅｙ  Ｈ２０９６ホットメルト接着剤を含む。
【０１０３】
ウエスト弾性体２１を含む実施形態において、ウエスト弾性体２１は、幅約０．０６２５インチ（１．６ｍｍ）から約２インチ（５１ｍｍ）である。好ましくは、前身頃部１４の前ウエスト縁部４４と後身頃部１５の背ウエスト縁部４５は、幅約０．２５インチ（６ｍｍ）から約１．５インチ（３８ｍｍ）のウエスト弾性体２１を有する。好ましくは、幅は約０．５インチ（１３ｍｍ）から約１インチ（２５ｍｍ）の範囲に亘るのがよい。ウエスト弾性体２１は約１５０％から約３００％の伸びをもって付与され、好ましくは約１７５％から約２７５％の伸びをもって付与され、より好ましくは約２００％から約２５０％の伸びをもって付与される。
【０１０４】
ウエスト弾性体２１は、糸、ストランド、リボン、フィルム、弾性不織布、又は複合材を含む。糸、ストランド、リボン、又はバンドは多数であり、複合材として付与される。ウエスト弾性体２１を構成する弾性材料の部品の数は、約１本から約２０本までの範囲に亘り、好ましくは約２本から約１０本までの範囲に亘り、より好ましくは２本から約８本までの範囲に亘り、最も好ましくは約２本から約６本までの範囲に亘る。好ましくは、ウエスト弾性体２１が糸であるときには、３本から６本の糸がウエスト弾性体２１として用いられるのがよく、該糸は約０．０６２５インチ（１．６ｍｍ）から約１．５インチ（３８ｍｍ）離間され、より好ましくは約０．０６２５インチ（１．６ｍｍ）から約０．２５インチ（６ｍｍ）離間され、最も好ましくは約０．１２５インチ（３ｍｍ）離間されるのがよい。
【０１０５】
糸はエラストマー材料から製造される。１つの好適な材料は、デラウェア州ウィルミントンに位置するデュポン社から入手可能なライクラ（登録商標）糸といったスパンデックスである。好適なウエスト弾性体２１は、約５本から約１０本の糸からなるウエスト弾性体２１として、約１００から約１２００デシテックス（ｇ／１００００ｍ）を有する糸を含み、好ましくは約４７０から約９４０デシテックスを有する糸を含み、より好ましくは約６２０から約９４０デシテックスを有する糸を含む。ウエスト弾性体２１を外側カバー１３と身体側ライナ８０又はウエストライナ２６に結合するために、メルトブローパターン又はスワールパターンで適用される接着剤７１が用いられる。接着剤７１はウエスト弾性体２１のみに適用されることが好ましい。好適な接着剤は、例えばウィスコンシン州ミルウォーキーに位置するＡｔｏ  Ｆｉｎｄｌｅｙ  Ａｄｈｅｓｉｖｅ社から入手可能なＦｉｎｄｌｅｙ  Ｈ２０９６ホットメルト接着剤を含む。
【０１０６】
脚弾性体３２、３３、３４、及び３５は、幅約０．０６２５インチ（１．６ｍｍ）から約１インチ（２５ｍｍ）であり、好ましくは幅約０．２５インチ（６ｍｍ）から約１インチ（２５ｍｍ）であり、より好ましくは幅約０．２５インチ（６ｍｍ）から約０．７５インチ（１８ｍｍ）である。脚弾性体３２、３３、３４、及び３５は約１００％から約３００％の伸びをもって付与され、好ましくは約１７５％から約２７５％の伸びをもって付与され、より好ましくは約２００％から約２５０％の伸びをもって付与される。
脚弾性体３２、３３、３４、及び３５は、糸、ストランド、バンド、リボン、フィルム、弾性不織布、又は複合材を含む。糸、ストランド、リボン、又はバンドは多数であり、複合材として付与される。脚弾性体３２、３３、３４、及び３５を構成する弾性材料の部品の数は、約１本から約６本までの範囲に亘り、好ましくは約２本から約５本までの範囲に亘り、より好ましくは約３本から約４本までの範囲に亘る。好ましくは、脚弾性体３２、３３、３４、及び３５が糸であるときには、１本から６本の糸が脚弾性体３２、３３、３４、及び３５として用いられるのがよく、該糸は約０．０６２５インチ（１．６ｍｍ）から約０．５インチ（１３ｍｍ）離間され、より好ましくは約０．０６２５インチ（１．６ｍｍ）から約０．２５インチ（６ｍｍ）離間され、最も好ましくは約０．１２５インチ（３ｍｍ）離間される。
【０１０７】
糸はエラストマー材料から製造される。１つの好適な材料は、デラウェア州ウィルミントンに位置するデュポン・カンパニーから入手可能なライクラ（登録商標）糸といったスパンデックスである。好適な脚弾性体３２、３３、３４、及び３５は、約３本から約６本の糸からなる脚弾性体３２、３３、３４、及び３５として、約４７０から約１２００デシテックス（ｇ／１００００ｍ）を有する糸を含み、好ましくは約６２０から約１０００デシテックスを有する糸を含み、より好ましくは約７４０から約９４０デシテックスを有する糸を含む。脚弾性体３２、３３、３４、及び３５を、外側カバー１３に結合し、身体側ライナ８０、吸収性障壁複合材４６又は脚ライナ３８に結合するために、メルトブローパターン又はスワールパターンで適用される接着剤７１が用いられる。接着剤７１は、脚弾性体３２、３３、３４、及び３５のみに適用されることが好ましい。好適な接着剤は、例えばウィスコンシン州ミルウォーキーに位置するＡｔｏ  Ｆｉｎｄｌｅｙ  Ａｄｈｅｓｉｖｅ社から入手可能なＦｉｎｄｌｅｙ  Ｈ２０９６ホットメルト接着剤を含む。
【０１０８】
股部弾性体３７及び３９は、幅約０．０６２５インチ（１．６ｍｍ）から約１インチ（２５ｍｍ）であり、好ましくは幅約０．２５インチ（６ｍｍ）から約１インチ（２５ｍｍ）であり、より好ましくは幅約０．２５インチ（６ｍｍ）から約０．７５インチ（１８ｍｍ）であって、例えば０．５インチ（１３ｍｍ）などである。股部弾性体３７及び３９は約１００％から約３００％の伸びをもって付与され、好ましくは約１５０％から約２７５％の伸びをもって付与され、より好ましくは約２００％から約２５０％の伸びをもって付与される。
股部弾性体３７及び３９は、糸、ストランド、リボン、バンド、フィルム、弾性不織布、又は複合材を含む。糸、ストランド、リボン、又はバンドは多数であり、複合材として付与される。股部弾性体３７及び３９を構成する弾性材料の部品の数は、約１本から約６本までの範囲に亘り、好ましくは約２本から約５本までの範囲に亘り、より好ましくは約３本から約４本までの範囲に亘る。好ましくは、股部弾性体３７及び３９が糸であるときには、１本から６本の糸が股部弾性体３７及び３９として用いられるのがよく、該糸は約０．０６２５インチ（１．６ｍｍ）から約０．５インチ（１３ｍｍ）離間され、より好ましくは約０．０６２５インチ（１．６ｍｍ）から約０．２５インチ（６ｍｍ）離間され、最も好ましくは約０．１２５インチ（３ｍｍ）離間される。
【０１０９】
糸はエラストマー材料から製造される。１つの好適な材料は、デラウェア州ウィルミントンに位置するデュポン・カンパニーから入手可能なライクラ（登録商標）糸といったスパンデックスである。好適な股部弾性体３７及び３９は、約３本から約６本の糸からなる股部弾性体３７及び３９として、約４７０から約１２００デシテックス（ｇ／１００００ｍ）を有する糸を含み、好ましくは約６２０から約１０００デシテックスを有する糸を含み、より好ましくは約７４０から約９４０デシテックスを有する糸を含む。股部弾性体３７及び３９を外側カバー１３に結合し、吸収性障壁複合材４６又は脚ライナ３８に結合するために、メルトブローパターン又はスワールパターンで適用される接着剤７１が用いられる。接着剤７１は股部弾性体３７及び３９のみに適用されることが好ましい。好適な接着剤は、例えばウィスコンシン州ミルウォーキーに位置するＡｔｏ  Ｆｉｎｄｌｅｙ  Ａｄｈｅｓｉｖｅ社から入手可能なＦｉｎｄｌｅｙ  Ｈ２０９６ホットメルト接着剤を含む。
【０１１０】
１つの実施形態において、吸収体コア５０の周りにクレードル構造が形成されて、脚開口部２８及び３０の周りに快適なフィット性が与えられ、股部１８の側面が引き上げられる。脚弾性体３２、３３、３４、及び３５は、約２００％から約２５０％の伸びをもって外側カバー１３に付与される。股部弾性体３７及び３９は、約２００％の伸びをもって液体障壁４８と上面シート層４９の間に挟持される。好ましくは、弾性体を付与する間、前部脚弾性体３２及び３３と背部脚弾性体３４及び３５は異なった程度に伸ばされて、外側カバー１３に付与されるのがよい。１つの実施形態において、前部脚弾性体３２及び３３は背部脚弾性体３４及び３５より少なく伸ばされる。
脚開口部２８及び３０の周りに快適なフィット性を与え、股部１８を引き上げて吸収体コア５０の周りにクレードル構造を形成する別の実施形態において、脚弾性体３２、３３、３４、及び３５と、股部弾性体３７及び３９とは、約２００％から約２５０％の伸びをもって外側カバー１３に付与される。好ましくは、弾性体を付与する間、前部脚弾性体３２及び３３と背部脚弾性体３４及び３５は異なった程度に伸ばされて、外側カバー１３に付与されるのがよい。１つの実施形態において、前部脚弾性体３２及び３３は背部脚弾性体３４及び３５より少なく伸ばされる。
【０１１１】
脚開口部２８及び３０の各々を取り囲む３セグメントの弾性体を有する実施形態においては、前部脚弾性体３２及び３３と、股部弾性体３７及び３９とは、背部脚弾性体３４及び３５より少なく伸ばされる。３セグメントの弾性体は、前部脚弾性体３２及び３３と、背部脚弾性体３４及び３５と、股部弾性体３７及び３９と、を含む。前部脚弾性体３２及び３３と股部弾性体３７及び３９は、約２００％まで伸ばされ、背部脚弾性体３４及び３５は約２５０％まで伸ばされることが好ましい。３セグメントの弾性体のシステムと、張力に差をつけることとによって、フィット性がより良好になり、鼠径部領域において締め付けがより少なくされ、脚弾性体の高度な収縮から生じる股部１８の盛り上がりがより少なくされる。背部脚弾性体３４及び３５は、使用中の動きに伴いアンダーパンツ１２の座面がずり上がらないようにし、アンダーパンツ１２の漏れ及び不快なフィット性の原因となる盛り上がりに対して吸収体コア５０を安定化させるために、より高度に伸ばされた状態にされる。
脚開口部２８及び３０の各々を取り囲む３セグメントの弾性体を有する実施形態において、股部弾性体３９と脚弾性体３２及び３５を有するそうした構成を図示した図１ａに示すように、股部弾性体３７及び３９の活性部分は、脚弾性体３２、３３、３４、及び３５の活性部分と重なる。股部弾性体３７及び３９と、脚弾性体３２、３３、３４、及び３５と、ウエスト弾性体２１と、ウエスト部弾性体２２の活性部分とは、物品１０に収縮力を及ぼす弾性体の部分である。
【０１１２】
図１ａにおいて、脚開口部２８及び３０の各々を取り囲む３セグメントの弾性体の別の構成が示され、ここで股部弾性体３７の活性部分は、脚弾性体３４の活性部分に重なるが、脚弾性体３３の活性部分には重ならない。この構成は、前身頃部１４の脚開口部３０を取り囲む弾性体に間隙１０７を形成する。間隙１０７は、寸法が、約３インチ（７６ｍｍ）から約０．１２５インチ（３ｍｍ）までの範囲に亘り、好ましくは約２インチ（５１ｍｍ）から約０．２５インチ（６ｍｍ）までの範囲に亘り、より好ましくは約１インチ（２５ｍｍ）から約０．５インチ（１３ｍｍ）までの範囲に亘る。
間隙１０７は、アンダーパンツ１２のより心地よいフィット性を与える。ある種の身体形状と寸法及び身体活動を伴う使用中に、脚弾性体３２及び３３と股部弾性体３７及び３９から拘束又は摩擦が低減される。前身頃下側部４２は平滑にされ、より個別のアンダーパンツ１２を与える。
【０１１３】
図１ｂにおいて、脚開口部２８及び３０の各々を取り囲む３セグメントの弾性体の別の構成が示され、ここで股部弾性体３９の活性部分は、脚弾性体３２の活性部分に重なるが、脚弾性体３５の活性部分には重ならない。この構成は、後身頃部１５の脚開口部２８を取り囲む弾性体に間隙１１１を形成する。間隙１１１は、寸法が、約３インチ（７６ｍｍ）から約０．１２５インチ（３ｍｍ）までの範囲に亘り、好ましくは約２インチ（５１ｍｍ）から約０．２５インチ（６ｍｍ）までの範囲に亘り、より好ましくは約１インチ（２５ｍｍ）から約０．５インチ（１３ｍｍ）までの範囲に亘る。
間隙１１１は、ある種の身体形状と寸法及び身体活動を伴う使用中に、脚弾性体３４及び３５と股部弾性体３７及び３９とからもたらされうる拘束及び摩擦が低減されるという点で、アンダーパンツ１２のより心地よいフィット性を与える。加えて、後身頃下側部４３は平滑にされ、より個別のアンダーパンツ１２を与える。
【０１１４】
図１ｂにおいて、脚開口部２８及び３０の各々を取り囲む３セグメントの弾性体の別の構成が示され、ここで股部弾性体３７の活性部分は、脚弾性体３３及び３４の活性部分に重ならない。この構成は、前身頃部１４及び後身頃部１５の脚開口部２８及び３０を取り囲む弾性体にそれぞれ間隙１０７及び１１１を形成する。間隙１０７及び１１１の各々は、寸法が、約３インチ（７６ｍｍ）から約０．１２５インチ（３ｍｍ）までの範囲に亘り、好ましくは約２インチ（５１ｍｍ）から約０．２５インチ（６ｍｍ）までの範囲に亘り、より好ましくは約１インチ（２５ｍｍ）から約０．５インチ（１３ｍｍ）までの範囲に亘る。
間隙１０７及び１１１は、ある種の身体形状と寸法及び身体活動を伴う使用中に、脚弾性体３２、３３、３４、及び３５と、股部弾性体３７及び３９とからもたらされうる拘束又は摩擦が低減されるという点で、アンダーパンツ１２のより心地よいフィット性を与える。加えて、後身頃下側部４３は平滑にされ、より個別のアンダーパンツ１２を与える。
【０１１５】
脚開口部２８及び３０の各々を取り囲む２セグメントの弾性体を有する実施形態において、（図２ａ参照）前部脚弾性体３２及び３３は、背部脚弾性体３４及び３５より少なく伸ばされる。２セグメントの弾性体は、前部脚弾性体３２及び３３と、背部脚弾性体３４及び３５を含む。好ましくは、前部脚弾性体３２及び３３は約２００％まで伸ばされ、背部脚弾性体３４及び３５は約２５０％まで伸ばされるのがよい。２セグメントの弾性体のシステムと、張力に差をつけることとによって、フィット性がより良好になり、鼠径部領域において締め付けがより少なくされ、脚弾性体の高度な収縮から生じる股部１８の盛り上がりがより少なくされる。背部脚弾性体３４及び３５は、使用中の動きに伴いアンダーパンツ１２の座面がずり上がらないようにし、アンダーパンツ１２の漏れ及び不快なフィット性の原因となる盛り上がりに対して吸収体コア５０を安定化させるために、より高度に伸ばされた状態にされる。
【０１１６】
図１ｃにおいて、脚開口部２８及び３０の各々を取り囲む２セグメントの弾性体の別の構成が示され、ここで脚弾性体３２の活性部分は、脚弾性体３５の活性部分に重ならない。この構成は、前身頃部１４、後身頃部１５、又は前身頃部１４と後身頃部１５との両方において、脚開口部２８の上部で該脚開口部２８を取り囲む弾性体に間隙１０７を形成する。間隙１０７は、寸法が、約３インチ（７６ｍｍ）から約０．１２５インチ（３ｍｍ）までの範囲に亘り、好ましくは約２インチ（５１ｍｍ）から約０．２５インチ（６ｍｍ）までの範囲に亘り、より好ましくは約１インチ（２５ｍｍ）から約０．５インチ（１３ｍｍ）までの範囲に亘る。間隙１０７は、ある種の身体形状と寸法及び身体活動を伴う使用中に、脚弾性体３２、３３、３４、及び３５からもたらされうる拘束又は摩擦が低減されるという点で、アンダーパンツ１２のより心地よいフィット性を提供する。加えて、着用者の両足の上部における「パンティーライン」が解消されるため、間隙１０７はより個別のアンダーパンツ１２を与える。
脚開口部２８及び３０の各々を取り囲む２セグメントの弾性体を有する実施形態において、脚弾性体３２及び脚弾性体３５を伴うそうした構成を図示した図２ａに示すように、脚弾性体３２及び３３の活性部分は、脚弾性体３４及び３５の活性部分に重なる。
【０１１７】
図２ａにおいて、脚開口部２８及び３０の各々を取り囲む２セグメントの弾性体の別の構成が示され、ここで脚弾性体３３の活性部分は、脚弾性体３４の活性部分に重ならない。この構成は、前身頃部１４において、脚開口部３０を取り囲む弾性体に間隙１１３を形成する。間隙１１３は、寸法を、約３インチ（７６ｍｍ）から約０．１２５インチ（３ｍｍ）までの範囲とし、好ましくは約２インチ（５１ｍｍ）から約０．２５インチ（６ｍｍ）までの範囲とし、より好ましくは約１インチ（２５ｍｍ）から約０．５インチ（１３ｍｍ）までの範囲とすることができる。
間隙１１３は、ある種の身体形状と寸法及び身体活動を伴う使用中に、脚弾性体３２、３３、３４、及び３５からもたらされうる拘束又は摩擦が低減されるという点で、アンダーパンツ１２のより心地よいフィット性を与える。
【０１１８】
図２ａにおいて、脚開口部２８及び３０の各々を取り囲む２セグメントの弾性体の別の構成が示され、ここで脚弾性体３２の活性部分は、脚弾性体３５の活性部分に重ならない。この構成は、前身頃部１４、後身頃部１５、又は前身頃部１４と後身頃部１５との両方において、脚開口部２８の上部で該脚開口部２８を取り囲む弾性体に間隙１１３を形成する。間隙１１３は、寸法を、約３インチ（７６ｍｍ）から約０．１２５インチ（３ｍｍ）までの範囲とし、好ましくは約２インチ（５１ｍｍ）から約０．２５インチ（６ｍｍ）までの範囲とし、より好ましくは約１インチ（２５ｍｍ）から約０．５インチ（１３ｍｍ）までの範囲とすることができる。間隙１１３は、ある種の身体形状と寸法及び身体活動を伴う使用中に、脚弾性体３２、３３、３４、及び３５からもたらされうる拘束又は摩擦が低減されるという点で、アンダーパンツ１２のより心地よいフィット性を与える。加えて、着用者の両足の上部における「パンティーライン」が解消されるため、間隙１１３はより個別のアンダーパンツ１２を与える。
【０１１９】
脚開口部２８及び３０を取り囲む（図３参照）単一セグメントの弾性体を有する実施形態において（単一セグメントの弾性体は脚弾性体９６及び９８を含む）、脚弾性体９６及び９８は約１００％から約３００％までの伸びをもって付与され、好ましくは約１７５％から約２７５％までの伸びをもって付与され、より好ましくは約２００％から約２５０％までの伸びをもって付与される。
アンダーパンツ１２の身頃部１４及び１５の周辺を取り囲むウエスト部弾性体２２は独立的に機能して、様々な身体形式及び体格の外形に適合し、所与の腰部寸法の範囲内で、平滑で快適且つ心地よいフィット性を与える。ウエスト弾性体２１を有する実施形態において、ウエスト部弾性体２２より高い伸び、より近接した間隔、及びより高い断面積のウエスト弾性体２１を用いることは、丸みのある形状と、腰部対胴部の比率が直面する広い範囲にわたって胴部への良好なフィット性を有するアンダーパンツ１２をもたらす。ウエスト部弾性体２２の伸びは、前身頃部１４と後身頃部１５とで異ならせることができる。
【０１２０】
好ましくは、前身頃部１４において、ウエスト部弾性体２２は前部脚弾性体３２及び３３から離間される。後身頃部１５のウエスト部弾性体２２は、背部脚弾性体３４及び３５から離間される。ウエスト部弾性体２２と脚弾性体３２、３３、３４、及び３５との間の距離は、約０．１２５インチ（３ｍｍ）から約３インチ（７６ｍｍ）までの範囲に亘り、好ましくは約０．２５インチ（６ｍｍ）から約２インチ（５１ｍｍ）までの範囲に亘り、より好ましくは約０．２５インチ（６ｍｍ）から約１．５インチ（３８ｍｍ）までの範囲に亘る。前身頃部１４と後身頃部１５における間隔は、同じ寸法とする必要はない。しかしながら、前身頃部と後身頃部の一方又は両方のウエスト部弾性体２２は、前部脚弾性体３２及び３３又は背部脚弾性体３４及び３５に隣接する。ウエスト弾性体２１が存在する実施形態においては、ウエスト部弾性体２２は、ウエスト弾性体２１と、脚弾性体３２、３３、３４、及び３５とから離間されることが好ましい。
【０１２１】
前身頃部と後身頃部の一方又は両方のウエスト部弾性体２２は、ウエスト弾性体２１及び、脚弾性体３２、３３、３４、及び３５のどちらか又は両方に隣接することができ、そのときウエスト部弾性体２２は、脚弾性体３２、３３、３４、及び３５の少なくとも一部に隣接する。約３６インチ（９１４ｍｍ）から約４５インチ（１１４３ｍｍ）までの範囲の腰部に心地よく適合する寸法にされたアンダーパンツ１２において、ウエスト部弾性体２２は、前身頃部１４において幅約４インチ（１０２ｍｍ）であり、後身頃部１５において幅約６．２５インチ（１５９ｍｍ）である。ウエスト部弾性体２２は約０．０６２５インチ（１．６ｍｍ）から約０．５インチ（１３ｍｍ）だけ離間される。好ましくは、ウエスト部弾性体２２は約０．０６２５インチ（１．６ｍｍ）から約０．２５インチ（６ｍｍ）だけ離間される。最も好ましくは、ウエスト部弾性体２２は０．１２５インチ（３ｍｍ）だけ離間される。
【０１２２】
前身頃部１４及び／又は後身頃部１５の上方に延びてウエスト開口部２０に向かう吸収性障壁複合材４６は、ウエスト部弾性体２２が及ぼす力によって、着用者の身体に適合される。前身頃下側部４２から前身頃上側部４０までと、後身頃下側部４３から後身頃上側部４１までの移行は円滑にされる。
ウエスト弾性体２１を有する実施形態において、ウエスト弾性体２１は好ましくは、上側身頃部４０及び４１のウエスト部弾性体２２より大きな単位幅当たりの張力を及ぼされて、多様な身体形状の腰部対胴部の比率に広い範囲にわたって適合する快適な胴部へのフィット感を与える。好ましい実施形態において、ウエスト弾性体２１にかかる張力は、ウエスト部弾性体２２にかかる張力と協働して、ウエスト開口部２０の周りに快適なフィットを形成する一方で、上側身頃部４０から前ウエスト縁部分４４までと、上側身頃部４１から背ウエスト縁部分４５までの円滑な移行を与える。しかしながら、ウエスト弾性体２１の張力及びライクラ（登録商標）総数と、ウエスト部弾性体２２の張力及びライクラ（登録商標）の総数とは、異なるものとすることができる。
【０１２３】
前身頃部１４と後身頃部１５において、脚ライナ３８、ウエストライナ２６、及び／又は上面シート層４９は、広げられて身頃部１４及び１５の内部を覆う。別の実施形態において、脚ライナ３８、ウエストライナ２６、及び／又は上面シート層４９は、吸収性障壁複合材４６の付与により被覆された中央股部１８を除外する。吸収性障壁複合材４６がライナ８０と重なる身頃部１４及び１５においては、複合材４６は、存在するどのライナ８０の上部にも該複合材が着用者に接触するように付与される。しかしながら、吸収性障壁複合材４６の重なり部分は、外側カバー１３と身体側ライナ８０の間に挟持される。
【０１２４】
ウエスト部弾性体２２と、脚弾性体３２、３３、３４、及び３５と、股部弾性体３７及び３９と、を有する実施形態においては、弾性体２２、３２、３３、３４、３５、３７、及び３９の張力についての以下の範囲が下記の表３に与えられる。
2004528879.tif 000005
【０１２５】
ウエスト弾性体２１と、ウエスト部弾性体２２と、脚弾性体３２、３３、３４、及び３５と、股部弾性体３７及び３９と、を有する実施形態において、弾性体２１、２２、３２、３３、３４、３５、３７、及び３９の張力についての以下の範囲が、下記の表ＩＶに与えられる。
2004528879.tif 000006
【０１２６】
ウエスト弾性体２１、ウエスト部弾性体２２、股部弾性体３７及び３９、並びに脚弾性体３２、３３、３４、及び３５の張力は、以下のようにして判定された。弾性体２１、２２、３２、３３、３４、及び３５の各々について、幅１０ｍｍ、長さ５１ｍｍの寸法を有するサンプルが試験された。
表ＩＩＩと表ＩＶに記された張力は、幅１０ｍｍ当たりのグラム数で与えられている。試験されたサンプルの寸法が幅１０ｍｍと異なる場合、数値は幅１０ｍｍに正規化されなければならない。
張力は、室温及び室内湿度において、１００％の伸びのときの第１サイクル引き伸ばしの間に測定された。
【０１２７】
側部シーム６４及び７０は、アンダーパンツ１２の内側又は外側に作られるか、又は、より完成された見た目をアンダーパンツ１２に与え、側部シーム６４及び７０が衣服を通して外に見えることを防止するために、アンダーパンツ１２に対し平坦に形成される。随意的に、前身頃部の横方向縁部６０及び６６と、後身頃部の横方向縁部６２及び６８は重ならず、平坦に形成されて横方向に突出する。側部シーム６４及び７０は最小幅を有する一方で、２４時間の着用期間にわたって、裂けたり破れたりすることなしに何度も引き上げられたり引き下ろされたりするのに十分なほどの強度を与える。好適な側部シーム及び側部シールは、Ｓｔｒｏｈｂｅｅｎ他に付与された１９８６年９月９日付の米国特許第４，６１０，６８１号、Ｈｅｒａｎ他に付与された１９８７年２月１０日付の米国特許第４，６４１，３８１号、及びＨｅｒａｎ他に付与された１９８７年３月３日付の米国特許第４，６４６，３６２号に記載され、これらは引用によりここに組み込まれる。加えて、側部シーム６４及び７０は再締結可能とすることもできる。使い捨てアンダーパンツ１２を着用者の周りに固定する様々な手段は、メカニカルタイプ・ファスナを含む。これらは、ボタン及びボタン穴、スナップ、バックル、クラスプ、フック・ループ、延長端部、タブ、接着テープを含み、相補的装置か又は衣類の外側カバーと相互鎖錠する又は係合する。加えて、使い捨てアンダーパンツ１２のより良好なフィット性を確保するために、弾性を付与されたファスナが用いられる。
【０１２８】
外側カバー１３の側部シーム６４及び７０は、超音波結合、ステッチ熱／圧力結合、又は接着剤結合によりシールされる。達成可能な最大のシーム強度は、使用された材料、結合パターン、結合幅、並びに、滞留時間、パワー、及び圧力の工程設定に従う。好適な側部シームは、側部シーム６４及び７０が使用中に裂けない又は開かないようなシーム強度を達成するために、超音波結合を用いる。
側部シーム６４及び７０は、側部シーム６４及び７０の各々にやわらかな縁部を与えるために、結合域より外に非結合部分を有する。非結合部分は幅約０ｍｍから約１３ｍｍまでの範囲に亘り、好ましくは幅約１ｍｍから約６ｍｍまでの範囲に亘り、より好ましくは幅約２ｍｍから約３ｍｍまでの範囲に亘る。代替的に、結合部分と非結合部分を足したシーム全体の幅は、約０．６インチ（１５ｍｍ）より小さい。シームがトリムされる、即ち結合域の外縁付近が切断される場合には、シーム縁部に沿って鋭い縁部が作り出され、衣服に引っかかるか、或いは着用者の皮膚に刺激を与えることがある。
ここまで本発明を詳細に説明してきたが、本発明の精神から逸脱することなく様々な変更及び変形を行えることが容易に明らかとなるであろう。そうした変更及び変形は全て、下記の請求項により定義される本発明の特許請求の範囲内にあると考慮される。
【図面の簡単な説明】
【０１２９】
【図１ａ】予め組み立てられた平らな構成の本発明の使い捨てアンダーパンツ物品の平面図である。
【図１ｂ】予め組み立てられた平らな構成の本発明の使い捨てアンダーパンツ物品の平面図である。
【図１ｃ】予め組み立てられた平らな構成の本発明の使い捨てアンダーパンツ物品の平面図である。
【図２ａ】予め組み立てられた平らな構成の本発明の使い捨てアンダーパンツ物品の平面図である。
【図２ｂ】予め組み立てられた平らな構成の本発明の使い捨てアンダーパンツ物品の平面図である。
【図３】予め組み立てられた平らな構成の本発明の使い捨てアンダーパンツ物品の平面図である。
【図４】本発明のフルサイズの使い捨てアンダーパンツの斜視図である。
【図５】本発明のフルサイズの使い捨てアンダーパンツの斜視図である。
【図６】図１ａの線６−６に沿って見た断面図であり、外側カバーライナ上面シート層及び弾性体を示す。
【図７】図２ｂの線６−６に沿って見た断面図であり、外側カバーライナ上面シート層及び弾性体を示す。
【図８】図１ａの線４−４に沿って見た分解断面図であり、吸収体層、障壁、及び外側カバーを示す。
【図９】図２ａの線４−４に沿って見た分解断面図であり、吸収体層、障壁、及び外側カバーを示す。
【図１０】予め組み付けられた平らな構成の本発明の使い捨てアンダーパンツ物品の拡大平面図であり、吸収体パッドの前方歪み配置を示す。
【図１１】予め組み付けられた平らな構成の本発明の使い捨てアンダーパンツ物品の拡大平面図であり、吸収体パッドの前方歪み配置を示す。
【図１２】予め組み付けられた平らな構成の本発明の使い捨てアンダーパンツ物品の拡大平面図であり、プロファイル吸収体パッドの前方歪み配置を示す。
【図１３ａ】図１ａの断面線４−４に沿って見た吸収体パッドの断面図であり、繊維性及び高吸収性材料の均一な分布を示す。
【図１３ｂ】図１ｂの断面線４−４に沿って見た吸収体パッドの断面図であり、プロファイルされた坪量分布を有する繊維性及び高吸収性材料の均一な分布を示す。
【図１４】図１ａの断面線Ａ−Ａに沿って見た吸収体パッドの断面図であり、繊維性及び高吸収性材料の均一な分布を示す。
【図１５ａ】図１ａの断面線４−４に沿って見た吸収体パッドの断面図であり、繊維性及び高吸収性材料の層状分布を示す。
【図１５ｂ】図１ａの断面線Ａ−Ａに沿って見た吸収体パッドの断面図であり、端部に僅かに高い吸収性の材料を備えた繊維性及び高吸収性材料のパルス状分布を示す。
【図１５ｃ】図１ａの断面線４−４に沿って見た吸収体パッドの断面図であり、吸収体パッドの横方向における繊維性及び高吸収性材料の非均一分布を示す。
【国際公開パンフレット】
2004528879.tif 000007
2004528879.tif 000008
2004528879.tif 000009
2004528879.tif 000010
2004528879.tif 000011
2004528879.tif 000012
2004528879.tif 000013
2004528879.tif 000014
2004528879.tif 000015
2004528879.tif 000016
2004528879.tif 000017
2004528879.tif 000018
2004528879.tif 000019
2004528879.tif 000020
2004528879.tif 000021
2004528879.tif 000022
2004528879.tif 000023
2004528879.tif 000024
2004528879.tif 000025
2004528879.tif 000026
2004528879.tif 000027
2004528879.tif 000028
2004528879.tif 000029
2004528879.tif 000030
2004528879.tif 000031
2004528879.tif 000032
2004528879.tif 000033
2004528879.tif 000034
2004528879.tif 000035
2004528879.tif 000036
2004528879.tif 000037
2004528879.tif 000038
2004528879.tif 000039
2004528879.tif 000040
2004528879.tif 000041
2004528879.tif 000042
2004528879.tif 000043
2004528879.tif 000044
2004528879.tif 000045
2004528879.tif 000046
2004528879.tif 000047
2004528879.tif 000048
2004528879.tif 000049
2004528879.tif 000050
2004528879.tif 000051
2004528879.tif 000052
2004528879.tif 000053
2004528879.tif 000054
2004528879.tif 000055
2004528879.tif 000056
2004528879.tif 000057
2004528879.tif 000058
2004528879.tif 000059
2004528879.tif 000060
2004528879.tif 000061
2004528879.tif 000062
2004528879.tif 000063
2004528879.tif 000064
2004528879.tif 000065
2004528879.tif 000066
2004528879.tif 000067
2004528879.tif 000068
2004528879.tif 000069
2004528879.tif 000070
2004528879.tif 000071
2004528879.tif 000072
2004528879.tif 000073
2004528879.tif 000074
2004528879.tif 000075
2004528879.tif 000076
2004528879.tif 000077
2004528879.tif 000078
2004528879.tif 000079
2004528879.tif 000080
2004528879.tif 000081
2004528879.tif 000082
2004528879.tif 000083
2004528879.tif 000084
2004528879.tif 000085
2004528879.tif 000086
2004528879.tif 000087
2004528879.tif 000088
2004528879.tif 000089
2004528879.tif 000090
2004528879.tif 000091
2004528879.tif 000092
2004528879.tif 000093
2004528879.tif 000094
2004528879.tif 000095
2004528879.tif 000096
2004528879.tif 000097
2004528879.tif 000098
2004528879.tif 000099
2004528879.tif 000100
2004528879.tif 000101
【国際調査報告】
2004528879.tif 000102
2004528879.tif 000103
2004528879.tif 000104
2004528879.tif 000105